(57)【要約】【課題】非接触ＩＣカードに記録されている情報の読取りを選択的に可能にすることのできる非接触ＩＣカード収納具を提供する。【解決手段】複数の非接触ＩＣカードを収納することのできるパスケース１１０、二つ折り財布１２０、長財布１３０であって、特定の大きさを有する導電体を内部の適切な位置に配置することにより、カードリーダから非接触ＩＣカードに記録された情報を読取るために磁界が印加されると、通信用ポケット１１１、１２４、１３３に収納された１枚の非接触ＩＣカードのみがカードリーダと通信を行い、その他のカード収納ポケットに収納された非接触ＩＣカードはカードリーダとの通信を行わないようにする。【選択図】  図１
2010020636.tif 000002
【特許請求の範囲】
【請求項１】
ＩＣチップおよび非方形のアンテナを内蔵した非接触ＩＣカードを２枚収納することのできるパスケースであって、
第１の非接触ＩＣカードを収納するための第１収納部と、
前記第１収納部と表裏一体に形成された、第２の非接触ＩＣカードを収納するための第２収納部と、
横Ｘ１、縦Ｙ１の大きさを有する方形の導電体と、
前記導電体と各辺を合わせて重畳し、横Ｘ１、縦Ｙ１の大きさを有する磁性体とを備え、
前記第１の非接触ＩＣカードと、前記導電体および前記磁性体と、前記第２の非接触ＩＣカードとは、前記第１の非接触ＩＣカードと前記導電体との間および前記磁性体と前記第２の非接触ＩＣカードとの間がそれぞれ離隔し、前記導電体および前記磁性体の長手方向と前記第１および第２の非接触ＩＣカードの長手方向とが同一となり、且つ前記導電体および前記磁性体の中心点が前記第１および前記第２の非接触ＩＣカードの中心点と重なるように配置され、
前記第１収納部または前記第２収納部のいずれかの側から強度７．５乃至１０Ａ／ｍの磁界を印加されたとき、前記第１の非接触ＩＣカードは起動されず、前記第２の非接触ＩＣカードのみが起動されて通信可能となり、
前記Ｘ１およびＹ１は表１に示す値をとることを特徴とするパスケース。
【表１】
2010020636.tif 000033
【請求項２】
ＩＣチップおよび非方形のアンテナを内蔵した非接触ＩＣカードを２枚収納することのできるパスケースであって、
第１の非接触ＩＣカードを収納するための第１収納部と、
前記第１収納部と表裏一体に形成された、第２の非接触ＩＣカードを収納するための第２収納部と、
横Ｘ２、縦Ｙ２の大きさを有する方形の導電体と、
前記導電体と各辺を合わせて重畳し、横Ｘ２、縦Ｙ２の大きさを有する磁性体とを備え、
前記第１の非接触ＩＣカードと、前記導電体および前記磁性体と、前記第２の非接触ＩＣカードとは、前記第１の非接触ＩＣカードと前記導電体との間および前記磁性体と前記第２の非接触ＩＣカードとの間がそれぞれ離隔し、前記導電体および前記磁性体の長手方向と前記第１および第２の非接触ＩＣカードの長手方向とが同一となり、且つ前記導電体および前記磁性体の隣り合う２辺が前記第１および第２の非接触ＩＣカードの対応する２辺と揃うように配置され、
前記第１収納部または前記第２収納部のいずれかの側から強度７．５乃至１０Ａ／ｍの磁界を印加されたとき、前記第１の非接触ＩＣカードは起動されず、前記第２の非接触ＩＣカードのみが起動されて通信可能となり、
前記Ｘ２およびＹ２は表２に示す値をとることを特徴とするパスケース。
【表２】
2010020636.tif 000034
【請求項３】
請求項１または２に記載のパスケースにおいて、
前記導電体は圧延した箔状の金属体であることを特徴とするパスケース。
【請求項４】
ＩＣチップおよび非方形のアンテナを内蔵した非接触ＩＣカードを複数収納することのできる長方形の二つ折り財布であって、相対的に長い一辺に紙幣出し入れ口が設けられており、
複数の第１の非接触ＩＣカードを１枚ずつ収納するための複数の第１収納部と、
１枚の第２の非接触ＩＣカードを収納するための１つの第２収納部と、
前記複数の第１収納部の各々に取り付けられた導電体とを備え、
前記第１収納部は、相対的に長い一辺を前記第１の非接触ＩＣカードを出し入れするための第１カード出し入れ口とし、前記財布を二つ折りしたときの内側面に、前記各第１カード出し入れ口と前記紙幣出し入れ口とが同一または直交する向きになるよう段階的にずらして１列に設けられ、
前記第２収納部は、相対的に長い一辺または短い一辺のいずれかを前記第２の非接触ＩＣカードを出し入れするための第２カード出し入れ口とし、前記財布を二つ折りしたときの内側面に、前記第２カード出し入れ口と前記紙幣出し入れ口とが同一方向になるように、前記第１収納部とは独立して設けられ、
前記導電体と前記第２の非接触ＩＣカードとは、互いの表面間が１ｍｍ以上離隔し、前記導電体が前記第２の非接触ＩＣカードの一部と重畳するように配置され、
前記第２収納部は、二つ折り時の前記二つ折り財布の厚さＴが３０ｍｍ以下であるとき、前記Ｔの値に応じて、前記第２の非接触ＩＣカードの短手方向の一辺と前記導電体の対応する一辺との間の距離Ｄ１ａと、前記第２の非接触ＩＣカードの長手方向の一辺と前記導電体の対応する一辺との間の距離Ｄ２ａと、前記第２の非接触ＩＣカードの一角と前記導電体の対応する一角との間の距離Ｄ３ａとのうちいずれかが表３に示す値以上の値をとるように配置され、
強度７．５Ａ／ｍの磁界を印加されたとき、前記複数の第１の非接触ＩＣカードはいずれも起動されず、前記第２の非接触ＩＣカードのみが起動されて通信可能となることを特徴とする二つ折り財布。
【表３】
2010020636.tif 000035
【請求項５】
ＩＣチップおよび非方形のアンテナを内蔵した非接触ＩＣカードを複数収納することのできる長方形の二つ折り財布であって、相対的に長い一辺に紙幣出し入れ口が設けられており、
複数の第１の非接触ＩＣカードを１枚ずつ収納するための複数の第１収納部と、
１枚の第２の非接触ＩＣカードを収納するための１つの第２収納部と、
前記複数の第１収納部の各々に取り付けられた導電体とを備え、
前記第１収納部は、相対的に長い一辺を前記第１の非接触ＩＣカードを出し入れするための第１カード出し入れ口とし、前記財布を二つ折りしたときの内側面に、前記各第１カード出し入れ口と前記紙幣出し入れ口とが同一または直交する向きになるよう段階的にずらして１列に設けられ、
前記第２収納部は、相対的に長い一辺または短い一辺のいずれかを前記第２の非接触ＩＣカードを出し入れするための第２カード出し入れ口とし、前記財布を二つ折りしたときの内側面に、前記第２カード出し入れ口と前記紙幣出し入れ口とが同一方向になるように、前記第１収納部とは独立して設けられ、
前記導電体と前記第２の非接触ＩＣカードとは、互いの表面間が１ｍｍ以上離隔し、前記導電体が前記第２の非接触ＩＣカードの一部と重畳するように配置され、
前記第２収納部は、二つ折り時の前記二つ折り財布の厚さＴが３０ｍｍ以下であるとき、前記Ｔの値に応じて、前記第２の非接触ＩＣカードの短手方向の一辺と前記導電体の対応する一辺との間の距離Ｄ１ｂと、前記第２の非接触ＩＣカードの長手方向の一辺と前記導電体の対応する一辺との間の距離Ｄ２ｂと、前記第２の非接触ＩＣカードの一角と前記導電体の対応する一角との間の距離Ｄ３ｂとのうちいずれかが表４に示す値以上の値をとるように配置され、
強度１０Ａ／ｍの磁界を印加されたとき、前記複数の第１の非接触ＩＣカードはいずれも起動されず、前記第２の非接触ＩＣカードのみが起動されて通信可能となることを特徴とする二つ折り財布。
【表４】
2010020636.tif 000036
【請求項６】
ＩＣチップおよび非方形のアンテナを内蔵した非接触ＩＣカードを複数収納することのできる長方形の二つ折り財布であって、相対的に長い一辺に紙幣出し入れ口が設けられており、
複数の第１の非接触ＩＣカードを１枚ずつ収納するための、各々方形の導電体を取り付けられた複数の第１収納部と、
１枚の第２の非接触ＩＣカードを収納するための、前記第２の非接触ＩＣカードと同一の大きさを有し厚さ０．１ｍｍ以上で比透磁率２０以上または厚さ０．０５ｍｍ以上で比透磁率４０以上の方形の磁性体を取り付けられた１つの第２収納部とを備え、
前記第１収納部は、相対的に長い一辺を前記第１の非接触ＩＣカードを出し入れするための第１カード出し入れ口とし、前記財布を二つ折りしたときの内側面に、前記各第１カード出し入れ口と前記紙幣出し入れ口とが同一または直交する向きになるよう段階的にずらして１列に設けられ、
前記第２収納部は、相対的に長い一辺または短い一辺のいずれかを前記第２の非接触ＩＣカードを出し入れするための第２カード出し入れ口とし、前記財布を二つ折りしたときの内側面に、前記第２カード出し入れ口と前記紙幣出し入れ口とが同一方向になるように、前記第１収納部とは独立して設けられ、
前記導電体と前記第２の非接触ＩＣカードとは、互いの表面間が１ｍｍ以上離隔し、前記導電体が前記第２の非接触ＩＣカードの一部と重畳するように配置され、
前記第２収納部は、二つ折り時の前記二つ折り財布の厚さＴが３０ｍｍ以下であるとき、前記Ｔの値に応じて、前記第２の非接触ＩＣカードの短手方向の一辺と前記導電体の対応する一辺との間の距離Ｄ１ｃと、前記第２の非接触ＩＣカードの長手方向の一辺と前記導電体の対応する一辺との間の距離Ｄ２ｃと、前記第２の非接触ＩＣカードの一角と前記導電体の対応する一角との間の距離Ｄ３ｃとのうちいずれかが表５に示す値以上の値をとるように配置され、
強度７．５Ａ／ｍの磁界を印加されたとき、前記複数の第１の非接触ＩＣカードはいずれも起動されず、前記第２の非接触ＩＣカードのみが起動されて通信可能となることを特徴とする二つ折り財布。
【表５】
2010020636.tif 000037
【請求項７】
ＩＣチップおよび非方形のアンテナを内蔵した非接触ＩＣカードを複数収納することのできる長方形の二つ折り財布であって、相対的に長い一辺に紙幣出し入れ口が設けられており、
複数の第１の非接触ＩＣカードを１枚ずつ収納するための、各々方形の導電体を取り付けられた複数の第１収納部と、
１枚の第２の非接触ＩＣカードを収納するための、前記第２の非接触ＩＣカードと同一の大きさを有し厚さ０．１ｍｍ以上で比透磁率２０以上または厚さ０．０５ｍｍ以上で比透磁率４０以上の方形の磁性体を取り付けられた１つの第２収納部とを備え、
前記第１収納部は、相対的に長い一辺を前記第１の非接触ＩＣカードを出し入れするための第１カード出し入れ口とし、前記財布を二つ折りしたときの内側面に、前記各第１カード出し入れ口と前記紙幣出し入れ口とが同一または直交する向きになるよう段階的にずらして１列に設けられ、
前記第２収納部は、相対的に長い一辺または短い一辺のいずれかを前記第２の非接触ＩＣカードを出し入れするための第２カード出し入れ口とし、前記財布を二つ折りしたときの内側面に、前記第２カード出し入れ口と前記紙幣出し入れ口とが同一方向になるように、前記第１収納部とは独立して設けられ、
前記導電体と前記第２の非接触ＩＣカードとは、互いの表面間が１ｍｍ以上離隔し、前記導電体が前記第２の非接触ＩＣカードの一部と重畳するように配置され、
前記第２収納部は、二つ折り時の前記二つ折り財布の厚さＴが３０ｍｍ以下であるとき、前記Ｔの値に応じて、前記第２の非接触ＩＣカードの短手方向の一辺と前記導電体の対応する一辺との間の距離Ｄ１ｄと、前記第２の非接触ＩＣカードの長手方向の一辺と前記導電体の対応する一辺との間の距離Ｄ２ｄと、前記第２の非接触ＩＣカードの一角と前記導電体の対応する一角との間の距離Ｄ３ｄとのうちいずれかが表６に示す値以上の値をとるように配置され、
強度１０Ａ／ｍの磁界を印加されたとき、前記複数の第１の非接触ＩＣカードはいずれも起動されず、前記第２の非接触ＩＣカードのみが起動されて通信可能となることを特徴とする二つ折り財布。
【表６】
2010020636.tif 000038
【請求項８】
ＩＣチップおよび非方形のアンテナを内蔵した非接触ＩＣカードを複数収納することのできる長方形の二つ折り財布であって、相対的に長い一辺に紙幣出し入れ口が設けられており、
前記財布の内側面には、各々相対的に長い一辺を前記非接触ＩＣカードを出し入れするためのカード出し入れ口とし、前記各カード出し入れ口と前記紙幣出し入れ口とが同一の向きになるよう段階的にずらして１列に設けられた、それぞれ１枚の非接触ＩＣカードを収納するための複数の収納部を備え、
前記複数の収納部のうちいずれか１つの前記収納部には、前記非接触ＩＣカードと同一の大きさを有し厚さ０．１ｍｍ以上で比透磁率２０以上または厚さ０．０５ｍｍ以上で比透磁率４０以上の方形の磁性体が取り付けられ、前記複数の収納部のうち別の１つまたは２つの収納部には、各々方形の導電体が取り付けられ、
前記導電体と前記磁性体が取り付けられた収納部に収納された非接触ＩＣカードとは、互いの表面間が１ｍｍ以上離隔し、前記導電体が前記収納された非接触ＩＣカードの一部と重畳し、且つ、二つ折り時の前記二つ折り財布の厚さＴが３０ｍｍ以下であるとき、前記Ｔの値に応じて、前記収納された非接触ＩＣカードの短手方向の一辺と前記導電体の対応する一辺との間の距離Ｄ１ｃと、前記収納された非接触ＩＣカードの長手方向の一辺と前記導電体の対応する一辺との間の距離Ｄ２ｃと、前記収納された非接触ＩＣカードの一角と前記導電体の対応する一角との間の距離Ｄ３ｃとのうちいずれかが表７に示す値以上の値をとるように配置され、
強度７．５Ａ／ｍの磁界を印加されたとき、前記磁性体が取り付けられた収納部に収納された１枚の非接触ＩＣカードのみが起動されて通信可能となり、前記導電体が取り付けられた収納部に収納された非接触ＩＣカードはいずれも起動されないことを特徴とする二つ折り財布。
【表７】
2010020636.tif 000039
【請求項９】
ＩＣチップおよび非方形のアンテナを内蔵した非接触ＩＣカードを複数収納することのできる長方形の二つ折り財布であって、相対的に長い一辺に紙幣出し入れ口が設けられており、
前記財布の内側面には、各々相対的に長い一辺を前記非接触ＩＣカードを出し入れするためのカード出し入れ口とし、前記各カード出し入れ口と前記紙幣出し入れ口とが同一の向きになるよう段階的にずらして１列に設けられた、それぞれ１枚の非接触ＩＣカードを収納するための複数の収納部を備え、
前記複数の収納部のうちいずれか１つの前記収納部には、前記非接触ＩＣカードと同一の大きさを有し厚さ０．１ｍｍ以上で比透磁率２０以上または厚さ０．０５ｍｍ以上で比透磁率４０以上の方形の磁性体が取り付けられ、前記複数の収納部のうち別の１つまたは２つの収納部には、各々方形の導電体が取り付けられ、
前記導電体と前記磁性体が取り付けられた収納部に収納された非接触ＩＣカードとは、互いの表面間が１ｍｍ以上離隔し、前記導電体が前記収納された非接触ＩＣカードの一部と重畳し、且つ、二つ折り時の前記二つ折り財布の厚さＴが３０ｍｍ以下であるとき、前記Ｔの値に応じて、前記収納された非接触ＩＣカードの短手方向の一辺と前記導電体の対応する一辺との間の距離Ｄ１ｄと、前記収納された非接触ＩＣカードの長手方向の一辺と前記導電体の対応する一辺との間の距離Ｄ２ｄと、前記収納された非接触ＩＣカードの一角と前記導電体の対応する一角との間の距離Ｄ３ｄとのうちいずれかが表８に示す値以上の値をとるように配置され、
強度１０Ａ／ｍの磁界を印加されたとき、前記磁性体が取り付けられた収納部に収納された１枚の非接触ＩＣカードのみが起動されて通信可能となり、前記導電体が取り付けられた収納部に収納された非接触ＩＣカードはいずれも起動されないことを特徴とする二つ折り財布。
【表８】
2010020636.tif 000040
【請求項１０】
請求項４乃９のいずれかに記載の二つ折り財布において、
前記導電体は圧延した箔状の金属体であることを特徴とする二つ折り財布。
【請求項１１】
ＩＣチップおよび非方形のアンテナを内蔵した非接触ＩＣカードを複数収納することのできる長方形の二つ折りカードケースであって、相対的に長い一辺に紙幣出し入れ口が設けられており、
複数の第１の非接触ＩＣカードを１枚ずつ収納するための複数の第１収納部と、
１枚の第２の非接触ＩＣカードを収納するための１つの第２収納部と、
前記複数の第１収納部の各々に取り付けられた導電体とを備え、
前記第１収納部は、相対的に長い一辺を前記第１の非接触ＩＣカードを出し入れするための第１カード出し入れ口とし、前記カードケースを二つ折りしたときの内側面に、前記各第１カード出し入れ口と前記紙幣出し入れ口とが同一または直交する向きになるよう段階的にずらして１列に設けられ、
前記第２収納部は、相対的に長い一辺または短い一辺のいずれかを前記第２の非接触ＩＣカードを出し入れするための第２カード出し入れ口とし、前記カードケースを二つ折りしたときの内側面に、前記第２カード出し入れ口と前記紙幣出し入れ口とが同一方向になるように、前記第１収納部とは独立して設けられ、
前記導電体と前記第２の非接触ＩＣカードとは、互いの表面間が１ｍｍ以上離隔し、前記導電体が前記第２の非接触ＩＣカードの一部と重畳するように配置され、
前記第２収納部は、二つ折り時の前記二つ折りカードケースの厚さＴが３０ｍｍ以下であるとき、前記Ｔの値に応じて、前記第２の非接触ＩＣカードの短手方向の一辺と前記導電体の対応する一辺との間の距離Ｄ１ａと、前記第２の非接触ＩＣカードの長手方向の一辺と前記導電体の対応する一辺との間の距離Ｄ２ａと、前記第２の非接触ＩＣカードの一角と前記導電体の対応する一角との間の距離Ｄ３ａとのうちいずれかが表９に示す値以上の値をとるように配置され、
強度７．５Ａ／ｍの磁界を印加されたとき、前記複数の第１の非接触ＩＣカードはいずれも起動されず、前記第２の非接触ＩＣカードのみが起動されて通信可能となることを特徴とする二つ折りカードケース。
【表９】
2010020636.tif 000041
【請求項１２】
ＩＣチップおよび非方形のアンテナを内蔵した非接触ＩＣカードを複数収納することのできる長方形の二つ折りカードケースであって、相対的に長い一辺に紙幣出し入れ口が設けられており、
複数の第１の非接触ＩＣカードを１枚ずつ収納するための複数の第１収納部と、
１枚の第２の非接触ＩＣカードを収納するための１つの第２収納部と、
前記複数の第１収納部の各々に取り付けられた導電体とを備え、
前記第１収納部は、相対的に長い一辺を前記第１の非接触ＩＣカードを出し入れするための第１カード出し入れ口とし、前記カードケースを二つ折りしたときの内側面に、前記各第１カード出し入れ口と前記紙幣出し入れ口とが同一または直交する向きになるよう段階的にずらして１列に設けられ、
前記第２収納部は、相対的に長い一辺または短い一辺のいずれかを前記第２の非接触ＩＣカードを出し入れするための第２カード出し入れ口とし、前記カードケースを二つ折りしたときの内側面に、前記第２カード出し入れ口と前記紙幣出し入れ口とが同一方向になるように、前記第１収納部とは独立して設けられ、
前記導電体と前記第２の非接触ＩＣカードとは、互いの表面間が１ｍｍ以上離隔し、前記導電体が前記第２の非接触ＩＣカードの一部と重畳するように配置され、
前記第２収納部は、二つ折り時の前記二つ折りカードケースの厚さＴが３０ｍｍ以下であるとき、前記Ｔの値に応じて、前記第２の非接触ＩＣカードの短手方向の一辺と前記導電体の対応する一辺との間の距離Ｄ１ｂと、前記第２の非接触ＩＣカードの長手方向の一辺と前記導電体の対応する一辺との間の距離Ｄ２ｂと、前記第２の非接触ＩＣカードの一角と前記導電体の対応する一角との間の距離Ｄ３ｂとのうちいずれかが表１０に示す値以上の値をとるように配置され、
強度１０Ａ／ｍの磁界を印加されたとき、前記複数の第１の非接触ＩＣカードはいずれも起動されず、前記第２の非接触ＩＣカードのみが起動されて通信可能となることを特徴とする二つ折りカードケース。
【表１０】
2010020636.tif 000042
【請求項１３】
ＩＣチップおよび非方形のアンテナを内蔵した非接触ＩＣカードを複数収納することのできる長方形の二つ折りカードケースであって、相対的に長い一辺に紙幣出し入れ口が設けられており、
複数の第１の非接触ＩＣカードを１枚ずつ収納するための、各々方形の導電体を取り付けられた複数の第１収納部と、
１枚の第２の非接触ＩＣカードを収納するための、前記第２の非接触ＩＣカードと同一の大きさを有し厚さ０．１ｍｍ以上で比透磁率２０以上または厚さ０．０５ｍｍ以上で比透磁率４０以上の方形の磁性体を取り付けられた１つの第２収納部とを備え、
前記第１収納部は、相対的に長い一辺を前記第１の非接触ＩＣカードを出し入れするための第１カード出し入れ口とし、前記カードケースを二つ折りしたときの内側面に、前記各第１カード出し入れ口と前記紙幣出し入れ口とが同一または直交する向きになるよう段階的にずらして１列に設けられ、
前記第２収納部は、相対的に長い一辺または短い一辺のいずれかを前記第２の非接触ＩＣカードを出し入れするための第２カード出し入れ口とし、前記カードケースを二つ折りしたときの内側面に、前記第２カード出し入れ口と前記紙幣出し入れ口とが同一方向になるように、前記第１収納部とは独立して設けられ、
前記導電体と前記第２の非接触ＩＣカードとは、互いの表面間が１ｍｍ以上離隔し、前記導電体が前記第２の非接触ＩＣカードの一部と重畳するように配置され、
前記第２収納部は、二つ折り時の前記二つ折りカードケースの厚さＴが３０ｍｍ以下であるとき、前記Ｔの値に応じて、前記第２の非接触ＩＣカードの短手方向の一辺と前記導電体の対応する一辺との間の距離Ｄ１ｃと、前記第２の非接触ＩＣカードの長手方向の一辺と前記導電体の対応する一辺との間の距離Ｄ２ｃと、前記第２の非接触ＩＣカードの一角と前記導電体の対応する一角との間の距離Ｄ３ｃとのうちいずれかが表１１に示す値以上の値をとるように配置され、
強度７．５Ａ／ｍの磁界を印加されたとき、前記複数の第１の非接触ＩＣカードはいずれも起動されず、前記第２の非接触ＩＣカードのみが起動されて通信可能となることを特徴とする二つ折りカードケース。
【表１１】
2010020636.tif 000043
【請求項１４】
ＩＣチップおよび非方形のアンテナを内蔵した非接触ＩＣカードを複数収納することのできる長方形の二つ折りカードケースであって、相対的に長い一辺に紙幣出し入れ口が設けられており、
複数の第１の非接触ＩＣカードを１枚ずつ収納するための、各々方形の導電体を取り付けられた複数の第１収納部と、
１枚の第２の非接触ＩＣカードを収納するための、前記第２の非接触ＩＣカードと同一の大きさを有し厚さ０．１ｍｍ以上で比透磁率２０以上または厚さ０．０５ｍｍ以上で比透磁率４０以上の方形の磁性体を取り付けられた１つの第２収納部とを備え、
前記第１収納部は、相対的に長い一辺を前記第１の非接触ＩＣカードを出し入れするための第１カード出し入れ口とし、前記カードケースを二つ折りしたときの内側面に、前記各第１カード出し入れ口と前記紙幣出し入れ口とが同一または直交する向きになるよう段階的にずらして１列に設けられ、
前記第２収納部は、相対的に長い一辺または短い一辺のいずれかを前記第２の非接触ＩＣカードを出し入れするための第２カード出し入れ口とし、前記カードケースを二つ折りしたときの内側面に、前記第２カード出し入れ口と前記紙幣出し入れ口とが同一方向になるように、前記第１収納部とは独立して設けられ、
前記導電体と前記第２の非接触ＩＣカードとは、互いの表面間が１ｍｍ以上離隔し、前記導電体が前記第２の非接触ＩＣカードの一部と重畳するように配置され、
前記第２収納部は、二つ折り時の前記二つ折りカードケースの厚さＴが３０ｍｍ以下であるとき、前記Ｔの値に応じて、前記第２の非接触ＩＣカードの短手方向の一辺と前記導電体の対応する一辺との間の距離Ｄ１ｄと、前記第２の非接触ＩＣカードの長手方向の一辺と前記導電体の対応する一辺との間の距離Ｄ２ｄと、前記第２の非接触ＩＣカードの一角と前記導電体の対応する一角との間の距離Ｄ３ｄとのうちいずれかが表１２に示す値以上の値をとるように配置され、
強度１０Ａ／ｍの磁界を印加されたとき、前記複数の第１の非接触ＩＣカードはいずれも起動されず、前記第２の非接触ＩＣカードのみが起動されて通信可能となることを特徴とする二つ折りカードケース。
【表１２】
2010020636.tif 000044
【請求項１５】
ＩＣチップおよび非方形のアンテナを内蔵した非接触ＩＣカードを複数収納することのできる長方形の二つ折りカードケースであって、相対的に長い一辺に紙幣出し入れ口が設けられており、
前記カードケースの内側面には、各々相対的に長い一辺を前記非接触ＩＣカードを出し入れするためのカード出し入れ口とし、前記各カード出し入れ口と前記紙幣出し入れ口とが同一の向きになるよう段階的にずらして１列に設けられた、それぞれ１枚の非接触ＩＣカードを収納するための複数の収納部を備え、
前記複数の収納部のうちいずれか１つの前記収納部には、前記非接触ＩＣカードと同一の大きさを有し厚さ０．１ｍｍ以上で比透磁率２０以上または厚さ０．０５ｍｍ以上で比透磁率４０以上の方形の磁性体が取り付けられ、前記複数の収納部のうち別の１つまたは２つの収納部には、各々方形の導電体が取り付けられ、
前記導電体と前記磁性体が取り付けられた収納部に収納された非接触ＩＣカードとは、互いの表面間が１ｍｍ以上離隔し、前記導電体が前記収納された非接触ＩＣカードの一部と重畳し、且つ、二つ折り時の前記二つ折りカードケースの厚さＴが３０ｍｍ以下であるとき、前記Ｔの値に応じて、前記収納された非接触ＩＣカードの短手方向の一辺と前記導電体の対応する一辺との間の距離Ｄ１ｃと、前記収納された非接触ＩＣカードの長手方向の一辺と前記導電体の対応する一辺との間の距離Ｄ２ｃと、前記収納された非接触ＩＣカードの一角と前記導電体の対応する一角との間の距離Ｄ３ｃとのうちいずれかが表１３に示す値以上の値をとるように配置され、
強度７．５Ａ／ｍの磁界を印加されたとき、前記磁性体が取り付けられた収納部に収納された１枚の非接触ＩＣカードのみが起動されて通信可能となり、前記導電体が取り付けられた収納部に収納された非接触ＩＣカードはいずれも起動されないことを特徴とする二つ折りカードケース。
【表１３】
2010020636.tif 000045
【請求項１６】
ＩＣチップおよび非方形のアンテナを内蔵した非接触ＩＣカードを複数収納することのできる長方形の二つ折りカードケースであって、相対的に長い一辺に紙幣出し入れ口が設けられており、
前記カードケースの内側面には、各々相対的に長い一辺を前記非接触ＩＣカードを出し入れするためのカード出し入れ口とし、前記各カード出し入れ口と前記紙幣出し入れ口とが同一の向きになるよう段階的にずらして１列に設けられた、それぞれ１枚の非接触ＩＣカードを収納するための複数の収納部を備え、
前記複数の収納部のうちいずれか１つの前記収納部には、前記非接触ＩＣカードと同一の大きさを有し厚さ０．１ｍｍ以上で比透磁率２０以上または厚さ０．０５ｍｍ以上で比透磁率４０以上の方形の磁性体が取り付けられ、前記複数の収納部のうち別の１つまたは２つの収納部には、各々方形の導電体が取り付けられ、
前記導電体と前記磁性体が取り付けられた収納部に収納された非接触ＩＣカードとは、互いの表面間が１ｍｍ以上離隔し、前記導電体が前記収納された非接触ＩＣカードの一部と重畳し、且つ、二つ折り時の前記二つ折りカードケースの厚さＴが３０ｍｍ以下であるとき、前記Ｔの値に応じて、前記収納された非接触ＩＣカードの短手方向の一辺と前記導電体の対応する一辺との間の距離Ｄ１ｄと、前記収納された非接触ＩＣカードの長手方向の一辺と前記導電体の対応する一辺との間の距離Ｄ２ｄと、前記収納された非接触ＩＣカードの一角と前記導電体の対応する一角との間の距離Ｄ３ｄとのうちいずれかが表１４に示す値以上の値をとるように配置され、
強度１０Ａ／ｍの磁界を印加されたとき、前記磁性体が取り付けられた収納部に収納された１枚の非接触ＩＣカードのみが起動されて通信可能となり、前記導電体が取り付けられた収納部に収納された非接触ＩＣカードはいずれも起動されないことを特徴とする二つ折りカードケース。
【表１４】
2010020636.tif 000046
【請求項１７】
請求項１１乃至１６のいずれかに記載の二つ折りカードケースにおいて、
前記導電体は圧延した箔状の金属体であることを特徴とする二つ折りカードケース。
【請求項１８】
ＩＣチップおよび非方形のアンテナを内蔵した非接触ＩＣカードを複数収納することのできる長財布であって、略正方形の収納体を中心線に沿って谷折りしてなり、
前記中心線に平行に、前記中心線に向かって開口するよう設けられた紙幣出し入れ口と、
複数の第１の非接触ＩＣカードを１枚ずつ収納するための、各々方形の導電体を取り付けられた複数の第１収納部と、
１枚の第２の非接触ＩＣカードを収納するための１つの第２収納部とを備え、
前記第１収納部は、相対的に長い一辺を前記第１の非接触ＩＣカードを出し入れするための第１カード出し入れ口とし、前記長財布の内側面に、前記各第１カード出し入れ口と前記紙幣出し入れ口とが同一の向きになるよう、２列にわたって段階的にずらして設けられ、
前記第２収納部は、相対的に長い一辺または短い一辺のいずれかを前記第２の非接触ＩＣカードを出し入れするための第２カード出し入れ口とし、前記長財布の前記内側面の中央に、前記中心線を避けて、前記第２カード出し入れ口と前記紙幣出し入れ口とが同一方向になるように、前記第１収納部とは独立して設けられ、
前記第１収納部に取り付けられた前記導電体は、前記第１収納部の各列の間で、前記第２収納部が前記相対的に長い一辺を前記第２カード出し入れ口とする場合には２ｍｍ以上離隔し、前記相対的に短い一辺を前記第２カード出し入れ口とする場合には６．５ｍｍ以上離隔するよう配置され、
強度７．５乃至１０Ａ／ｍの磁界を印加されたとき、前記複数の第１の非接触ＩＣカードはいずれも起動されず、前記第２の非接触ＩＣカードのみが起動されて通信可能となることを特徴とする長財布。
【請求項１９】
請求項１８に記載の長財布において、
前記導電体は圧延した箔状の金属体であることを特徴とする長財布。
【発明の詳細な説明】
【技術分野】
【０００１】
本発明は非接触ＩＣカード収納具に係り、より詳細には、同時に携帯する複数の非接触ＩＣカードを収納し、そのうち使用を所望する１枚の非接触ＩＣカードのみを起動可能にする非接触ＩＣカード用パスケース、二つ折り財布、カードケースならびに長財布に関する。
【背景技術】
【０００２】
周知のように、アンテナコイルとＩＣチップとを内蔵して構成される非接触ＩＣカードは、支払・決済や個人認証等をごく短時間に行うことができるため、様々な用途に用いられ、急速に普及が進んでいる。代表的な例としては交通機関の乗車券が挙げられ、非接触ＩＣカードの乗車券をカードリーダを備えた改札機にかざすだけで運賃の精算を行うことが可能である。
【０００３】
また、近時では、店舗で利用可能なプリペイド型の電子マネーや、たばこ購入時の成人識別に利用されるなど、他にも多くの場面で非接触ＩＣカードが登場するようになってきている。そして、それに伴い複数種類の非接触ＩＣカードを所持する消費者も増加している。
【０００４】
しかしながら、非接触ＩＣカードには、複数枚を同時にカードリーダにかざしてしまうと、カードリーダからの磁界を受けたことによる渦電流の発生や起動電力の取り合い等のため、所望の１枚のカードのみを起動させることができないという問題がある。そこで、この問題を解消すべく、発明者は先に、２枚の非接触ＩＣカードを所持している場合にこれらを表裏に収納でき、カードリーダにかざした一方の非接触ＩＣカードのみを起動可能とし、他方を起動させないようにする特許文献１に記載のカードケースを開発した。
【特許文献１】特許第４０１２９３７号明細書
【発明の開示】
【発明が解決しようとする課題】
【０００５】
特許文献１に記載のカードケースでは、２枚のうち所望する１枚の非接触ＩＣカードのみがカードリーダと通信を行うようにすることが可能である。しかし、前述の状況に鑑みるに、消費者が所持する非接触ＩＣカードの枚数は今後も増加していくものと考えられる。
【０００６】
また、特許文献１に記載のカードケースは、カードリーダにかざす面に位置する非接触ＩＣカードのみが起動されるようになっているため、かざすのが所望のカードであることを予め目視により確認する必要がある。
【０００７】
そこで、本発明は、さらに多くの枚数の非接触ＩＣカードを収納可能であり、且つそのうち所望する特定の１枚のみを起動可能とすることのできる非接触ＩＣカード収納具を提供しようとするものである。
【課題を解決するための手段】
【０００８】
前述した課題を解決するために本発明が提供するのは、ＩＣチップおよび非方形のアンテナを内蔵した非接触ＩＣカードを２枚収納することのできるパスケースである。このパスケースは、第１の非接触ＩＣカードを収納するための第１収納部と、第１収納部と表裏一体に形成された、第２の非接触ＩＣカードを収納するための第２収納部と、横Ｘ１、縦Ｙ１の大きさを有する方形の導電体と、導電体と各辺を合わせて重畳し、横Ｘ１、縦Ｙ１の大きさを有する磁性体とを備える。第１の非接触ＩＣカードと、導電体および磁性体と、第２の非接触ＩＣカードとは、第１の非接触ＩＣカードと導電体との間および磁性体と第２の非接触ＩＣカードとの間がそれぞれ離隔し、導電体および磁性体の長手方向と第１および第２の非接触ＩＣカードの長手方向とが同一となり、且つ導電体および磁性体の中心点が第１および第２の非接触ＩＣカードの中心点と重なるように配置され、第１収納部または第２収納部のいずれかの側から強度７．５乃至１０Ａ／ｍの磁界を印加されたとき、第１の非接触ＩＣカードは起動されず、第２の非接触ＩＣカードのみが起動されて通信可能となる。ここで、Ｘ１およびＹ１は表１に示す値をとる。
【０００９】
【表１】
2010020636.tif 000003
【００１０】
また、本発明が提供するのは、ＩＣチップおよび非方形のアンテナを内蔵した非接触ＩＣカードを２枚収納することのできるパスケースである。このパスケースは、第１の非接触ＩＣカードを収納するための第１収納部と、第１収納部と表裏一体に形成された、第２の非接触ＩＣカードを収納するための第２収納部と、横Ｘ２、縦Ｙ２の大きさを有する方形の導電体と、導電体と各辺を合わせて重畳し、横Ｘ２、縦Ｙ２の大きさを有する磁性体とを備える。第１の非接触ＩＣカードと、導電体および磁性体と、第２の非接触ＩＣカードとは、第１の非接触ＩＣカードと導電体との間および磁性体と第２の非接触ＩＣカードとの間がそれぞれ離隔し、導電体および磁性体の長手方向と第１および第２の非接触ＩＣカードの長手方向とが同一となり、且つ導電体および磁性体の隣り合う２辺が第１および第２の非接触ＩＣカードの対応する２辺と揃うように配置される。第１収納部または第２収納部のいずれかの側から強度７．５乃至１０Ａ／ｍの磁界を印加されたとき、第１の非接触ＩＣカードは起動されず、第２の非接触ＩＣカードのみが起動されて通信可能となる。ここで、Ｘ２およびＹ２は表２に示す値をとる。
【００１１】
【表２】
2010020636.tif 000004
【００１２】
前述したパスケースにおいて、導電体は圧延した箔状の金属体である。
【００１３】
本発明がさらに提供するのは、ＩＣチップおよび非方形のアンテナを内蔵した非接触ＩＣカードを複数収納することのできる長方形の二つ折り財布である。この財布は、相対的に長い一辺に紙幣出し入れ口が設けられており、複数の第１の非接触ＩＣカードを１枚ずつ収納するための複数の第１収納部と、１枚の第２の非接触ＩＣカードを収納するための１つの第２収納部と、複数の第１収納部の各々に取り付けられた導電体とを備える。第１収納部は、相対的に長い一辺を第１の非接触ＩＣカードを出し入れするための第１カード出し入れ口とし、財布を二つ折りしたときの内側面に、各第１カード出し入れ口と紙幣出し入れ口とが同一または直交する向きになるよう段階的にずらして１列に設けられ、第２収納部は、相対的に長い一辺または短い一辺のいずれかを第２の非接触ＩＣカードを出し入れするための第２カード出し入れ口とし、財布を二つ折りしたときの内側面に、第２カード出し入れ口と紙幣出し入れ口とが同一方向になるように、第１収納部とは独立して設けられる。導電体と第２の非接触ＩＣカードとは、互いの表面間が１ｍｍ以上離隔し、導電体が前記第２の非接触ＩＣカードの一部と重畳するように配置され、第２収納部は、二つ折り時の前記二つ折り財布の厚さＴが３０ｍｍ以下であるとき、Ｔの値に応じて、第２の非接触ＩＣカードの短手方向の一辺と導電体の対応する一辺との間の距離Ｄ１ａと、第２の非接触ＩＣカードの長手方向の一辺と導電体の対応する一辺との間の距離Ｄ２ａと、第２の非接触ＩＣカードの一角と導電体の対応する一角との間の距離Ｄ３ａとのうちいずれかが表３に示す値以上の値をとるように配置される。強度７．５Ａ／ｍの磁界を印加されたとき、複数の第１の非接触ＩＣカードはいずれも起動されず、第２の非接触ＩＣカードのみが起動されて通信可能となる。
【００１４】
【表３】
2010020636.tif 000005
【００１５】
また、本発明が提供するのは、ＩＣチップおよび非方形のアンテナを内蔵した非接触ＩＣカードを複数収納することのできる長方形の二つ折り財布である。この二つ折り財布は、相対的に長い一辺に紙幣出し入れ口が設けられており、複数の第１の非接触ＩＣカードを１枚ずつ収納するための複数の第１収納部と、１枚の第２の非接触ＩＣカードを収納するための１つの第２収納部と、複数の第１収納部の各々に取り付けられた導電体とを備える。第１収納部は、相対的に長い一辺を第１の非接触ＩＣカードを出し入れするための第１カード出し入れ口とし、財布を二つ折りしたときの内側面に、各第１カード出し入れ口と紙幣出し入れ口とが同一または直交する向きになるよう段階的にずらして１列に設けられ、第２収納部は、相対的に長い一辺または短い一辺のいずれかを第２の非接触ＩＣカードを出し入れするための第２カード出し入れ口とし、財布を二つ折りしたときの内側面に、第２カード出し入れ口と紙幣出し入れ口とが同一方向になるように、第１収納部とは独立して設けられる。導電体と前記第２の非接触ＩＣカードとは、互いの表面間が１ｍｍ以上離隔し、導電体が第２の非接触ＩＣカードの一部と重畳するように配置され、第２収納部は、二つ折り時の二つ折り財布の厚さＴが３０ｍｍ以下であるとき、Ｔの値に応じて、第２の非接触ＩＣカードの短手方向の一辺と導電体の対応する一辺との間の距離Ｄ１ｂと、第２の非接触ＩＣカードの長手方向の一辺と導電体の対応する一辺との間の距離Ｄ２ｂと、第２の非接触ＩＣカードの一角と導電体の対応する一角との間の距離Ｄ３ｂとのうちいずれかが表４に示す値以上の値をとるように配置される。強度１０Ａ／ｍの磁界を印加されたとき、複数の第１の非接触ＩＣカードはいずれも起動されず、第２の非接触ＩＣカードのみが起動されて通信可能となる。
【００１６】
【表４】
2010020636.tif 000006
【００１７】
また、本発明が提供するのは、ＩＣチップおよび非方形のアンテナを内蔵した非接触ＩＣカードを複数収納することのできる長方形の二つ折り財布である。この二つ折り財布は、相対的に長い一辺に紙幣出し入れ口が設けられており、複数の第１の非接触ＩＣカードを１枚ずつ収納するための、各々方形の導電体を取り付けられた複数の第１収納部と、１枚の第２の非接触ＩＣカードを収納するための、第２の非接触ＩＣカードと同一の大きさを有し厚さ０．１ｍｍ以上で比透磁率２０以上または厚さ０．０５ｍｍ以上で比透磁率４０以上の方形の磁性体を取り付けられた１つの第２収納部とを備える。第１収納部は、相対的に長い一辺を第１の非接触ＩＣカードを出し入れするための第１カード出し入れ口とし、財布を二つ折りしたときの内側面に、各第１カード出し入れ口と紙幣出し入れ口とが同一または直交する向きになるよう段階的にずらして１列に設けられ、第２収納部は、相対的に長い一辺または短い一辺のいずれかを第２の非接触ＩＣカードを出し入れするための第２カード出し入れ口とし、財布を二つ折りしたときの内側面に、第２カード出し入れ口と紙幣出し入れ口とが同一方向になるように、第１収納部とは独立して設けられる。導電体と第２の非接触ＩＣカードとは、互いの表面間が１ｍｍ以上離隔し、導電体が第２の非接触ＩＣカードの一部と重畳するように配置され、第２収納部は、二つ折り時の二つ折り財布の厚さＴが３０ｍｍ以下であるとき、Ｔの値に応じて、第２の非接触ＩＣカードの短手方向の一辺と導電体の対応する一辺との間の距離Ｄ１ｃと、第２の非接触ＩＣカードの長手方向の一辺と導電体の対応する一辺との間の距離Ｄ２ｃと、第２の非接触ＩＣカードの一角と導電体の対応する一角との間の距離Ｄ３ｃとのうちいずれかが表５に示す値以上の値をとるように配置される。強度７．５Ａ／ｍの磁界を印加されたとき、複数の第１の非接触ＩＣカードはいずれも起動されず、第２の非接触ＩＣカードのみが起動されて通信可能となる。
【００１８】
【表５】
2010020636.tif 000007
【００１９】
また、本発明がさらに提供するのは、ＩＣチップおよび非方形のアンテナを内蔵した非接触ＩＣカードを複数収納することのできる長方形の二つ折り財布である。この二つ折り財布は、相対的に長い一辺に紙幣出し入れ口が設けられており、複数の第１の非接触ＩＣカードを１枚ずつ収納するための、各々方形の導電体を取り付けられた複数の第１収納部と、１枚の第２の非接触ＩＣカードを収納するための、第２の非接触ＩＣカードと同一の大きさを有し厚さ０．１ｍｍ以上で比透磁率２０以上または厚さ０．０５ｍｍ以上で比透磁率４０以上の方形の磁性体を取り付けられた１つの第２収納部とを備える。第１収納部は、相対的に長い一辺を第１の非接触ＩＣカードを出し入れするための第１カード出し入れ口とし、財布を二つ折りしたときの内側面に、各第１カード出し入れ口と紙幣出し入れ口とが同一または直交する向きになるよう段階的にずらして１列に設けられ、第２収納部は、相対的に長い一辺または短い一辺のいずれかを第２の非接触ＩＣカードを出し入れするための第２カード出し入れ口とし、財布を二つ折りしたときの内側面に、第２カード出し入れ口と紙幣出し入れ口とが同一方向になるように、第１収納部とは独立して設けられる。導電体と第２の非接触ＩＣカードとは、互いの表面間が１ｍｍ以上離隔し、導電体が第２の非接触ＩＣカードの一部と重畳するように配置され、第２収納部は、二つ折り時の二つ折り財布の厚さＴが３０ｍｍ以下であるとき、Ｔの値に応じて、第２の非接触ＩＣカードの短手方向の一辺と導電体の対応する一辺との間の距離Ｄ１ｄと、第２の非接触ＩＣカードの長手方向の一辺と導電体の対応する一辺との間の距離Ｄ２ｄと、第２の非接触ＩＣカードの一角と導電体の対応する一角との間の距離Ｄ３ｄとのうちいずれかが表６に示す値以上の値をとるように配置される。強度１０Ａ／ｍの磁界を印加されたとき、複数の第１の非接触ＩＣカードはいずれも起動されず、第２の非接触ＩＣカードのみが起動されて通信可能となる。
【００２０】
【表６】
2010020636.tif 000008
【００２１】
また、本発明が提供するのは、ＩＣチップおよび非方形のアンテナを内蔵した非接触ＩＣカードを複数収納することのできる長方形の二つ折り財布である。この二つ折り財布は、相対的に長い一辺に紙幣出し入れ口が設けられており、財布の内側面には、各々相対的に長い一辺を非接触ＩＣカードを出し入れするためのカード出し入れ口とし、各カード出し入れ口と紙幣出し入れ口とが同一の向きなるよう段階的にずらして１列に設けられた、それぞれ１枚の非接触ＩＣカードを収納するための複数の収納部を備える。この複数の収納部のうちいずれか１つの収納部には、非接触ＩＣカードと同一の大きさを有し厚さ０．１ｍｍ以上で比透磁率２０以上または厚さ０．０５ｍｍ以上で比透磁率４０以上の方形の磁性体が取り付けられ、複数の収納部のうち１つまたは２つの収納部には、各々方形の導電体が取り付けられる。導電体と、磁性体が取り付けられた収納部に収納された非接触ＩＣカードとは、互いの表面間が１ｍｍ以上離隔し、導電体が収納された非接触ＩＣカードの一部と重畳し、且つ、二つ折り時の二つ折り財布の厚さＴが３０ｍｍ以下であるとき、Ｔの値に応じて、収納された非接触ＩＣカードの短手方向の一辺と導電体の対応する一辺との間の距離Ｄ１ｃと、収納された非接触ＩＣカードの長手方向の一辺と導電体の対応する一辺との間の距離Ｄ２ｃと、収納された非接触ＩＣカードの一角と導電体の対応する一角との間の距離Ｄ３ｃとのうちいずれかが表７に示す値以上の値をとるように配置される。強度７．５Ａ／ｍの磁界を印加されたとき、磁性体が取り付けられた収納部に収納された１枚の非接触ＩＣカードのみが起動されて通信可能となり、導電体が取り付けられた収納部に収納された非接触ＩＣカードはいずれも起動されない。
【００２２】
【表７】
2010020636.tif 000009
【００２３】
また、本発明が提供するのは、ＩＣチップおよび非方形のアンテナを内蔵した非接触ＩＣカードを複数収納することのできる長方形の二つ折り財布である。この二つ折り財布は、相対的に長い一辺に紙幣出し入れ口が設けられており、財布の内側面には、各々相対的に長い一辺を非接触ＩＣカードを出し入れするためのカード出し入れ口とし、各カード出し入れ口と紙幣出し入れ口とが同一の向きなるよう段階的にずらして１列に設けられた、それぞれ１枚の非接触ＩＣカードを収納するための複数の収納部を備える。この複数の収納部のうちいずれか１つの収納部には、非接触ＩＣカードと同一の大きさを有し厚さ０．１ｍｍ以上で比透磁率２０以上または厚さ０．０５ｍｍ以上で比透磁率４０以上の方形の磁性体が取り付けられ、複数の収納部のうち１つまたは２つの収納部には、各々方形の導電体が取り付けられる。導電体と、磁性体が取り付けられた収納部に収納された非接触ＩＣカードとは、互いの表面間が１ｍｍ以上離隔し、導電体が収納された非接触ＩＣカードの一部と重畳し、且つ、二つ折り時の二つ折り財布の厚さＴが３０ｍｍ以下であるとき、Ｔの値に応じて、収納された非接触ＩＣカードの短手方向の一辺と導電体の対応する一辺との間の距離Ｄ１ｄと、収納された非接触ＩＣカードの長手方向の一辺と導電体の対応する一辺との間の距離Ｄ２ｄと、収納された非接触ＩＣカードの一角と導電体の対応する一角との間の距離Ｄ３ｄとのうちいずれかが表８に示す値以上の値をとるように配置される。強度１０Ａ／ｍの磁界を印加されたとき、磁性体が取り付けられた収納部に収納された１枚の非接触ＩＣカードのみが起動されて通信可能となり、導電体が取り付けられた収納部に収納された非接触ＩＣカードはいずれも起動されない。
【００２４】
【表８】
2010020636.tif 000010
【００２５】
前述した二つ折り財布において、導電体は圧延した箔状の金属体である。
【００２６】
本発明がさらに提供するのは、ＩＣチップおよび非方形のアンテナを内蔵した非接触ＩＣカードを複数収納することのできる長方形の二つ折りカードケースである。このカードケースは、相対的に長い一辺に紙幣出し入れ口が設けられており、複数の第１の非接触ＩＣカードを１枚ずつ収納するための複数の第１収納部と、１枚の第２の非接触ＩＣカードを収納するための１つの第２収納部と、複数の第１収納部の各々に取り付けられた導電体とを備える。第１収納部は、相対的に長い一辺を第１の非接触ＩＣカードを出し入れするための第１カード出し入れ口とし、カードケースを二つ折りしたときの内側面に、各第１カード出し入れ口と紙幣出し入れ口とが同一または直交する向きになるよう段階的にずらして１列に設けられ、第２収納部は、相対的に長い一辺または短い一辺のいずれかを第２の非接触ＩＣカードを出し入れするための第２カード出し入れ口とし、カードケースを二つ折りしたときの内側面に、第２カード出し入れ口と紙幣出し入れ口とが同一方向になるように、第１収納部とは独立して設けられる。導電体と第２の非接触ＩＣカードとは、互いの表面間が１ｍｍ以上離隔し、導電体が第２の非接触ＩＣカードの一部と重畳するように配置され、第２収納部は、二つ折り時の二つ折りカードケースの厚さＴが３０ｍｍ以下であるとき、Ｔの値に応じて、第２の非接触ＩＣカードの短手方向の一辺と導電体の対応する一辺との間の距離Ｄ１ａと、第２の非接触ＩＣカードの長手方向の一辺と導電体の対応する一辺との間の距離Ｄ２ａと、第２の非接触ＩＣカードの一角と導電体の対応する一角との間の距離Ｄ３ａとのうちいずれかが表９に示す値以上の値をとるように配置される。強度７．５Ａ／ｍの磁界を印加されたとき、複数の第１の非接触ＩＣカードはいずれも起動されず、第２の非接触ＩＣカードのみが起動されて通信可能となる。
【００２７】
【表９】
2010020636.tif 000011
【００２８】
また、本発明が提供するのは、ＩＣチップおよび非方形のアンテナを内蔵した非接触ＩＣカードを複数収納することのできる長方形の二つ折りカードケースである。この二つ折りカードケースは、相対的に長い一辺に紙幣出し入れ口が設けられており、複数の第１の非接触ＩＣカードを１枚ずつ収納するための複数の第１収納部と、１枚の第２の非接触ＩＣカードを収納するための１つの第２収納部と、複数の第１収納部の各々に取り付けられた導電体とを備える。第１収納部は、相対的に長い一辺を第１の非接触ＩＣカードを出し入れするための第１カード出し入れ口とし、カードケースを二つ折りしたときの内側面に、各第１カード出し入れ口と紙幣出し入れ口とが同一または直交する向きになるよう段階的にずらして１列に設けられ、第２収納部は、相対的に長い一辺または短い一辺のいずれかを第２の非接触ＩＣカードを出し入れするための第２カード出し入れ口とし、カードケースを二つ折りしたときの内側面に、第２カード出し入れ口と紙幣出し入れ口とが同一方向になるように、第１収納部とは独立して設けられる。導電体と第２の非接触ＩＣカードとは、互いの表面間が１ｍｍ以上離隔し、導電体が第２の非接触ＩＣカードの一部と重畳するように配置され、第２収納部は、二つ折り時の二つ折りカードケースの厚さＴが３０ｍｍ以下であるとき、Ｔの値に応じて、第２の非接触ＩＣカードの短手方向の一辺と導電体の対応する一辺との間の距離Ｄ１ｂと、第２の非接触ＩＣカードの長手方向の一辺と前記導電体の対応する一辺との間の距離Ｄ２ｂと、第２の非接触ＩＣカードの一角と導電体の対応する一角との間の距離Ｄ３ｂとのうちいずれかが表１０に示す値以上の値をとるように配置される。強度１０Ａ／ｍの磁界を印加されたとき、複数の第１の非接触ＩＣカードはいずれも起動されず、第２の非接触ＩＣカードのみが起動されて通信可能となる。
【００２９】
【表１０】
2010020636.tif 000012
【００３０】
また、本発明が提供するのは、ＩＣチップおよび非方形のアンテナを内蔵した非接触ＩＣカードを複数収納することのできる長方形の二つ折りカードケースであって、相対的に長い一辺に紙幣出し入れ口が設けられており、複数の第１の非接触ＩＣカードを１枚ずつ収納するための、各々方形の導電体を取り付けられた複数の第１収納部と、１枚の第２の非接触ＩＣカードを収納するための、第２の非接触ＩＣカードと同一の大きさを有し厚さ０．１ｍｍ以上で比透磁率２０以上または厚さ０．０５ｍｍ以上で比透磁率４０以上の方形の磁性体を取り付けられた１つの第２収納部とを備える。第１収納部は、相対的に長い一辺を第１の非接触ＩＣカードを出し入れするための第１カード出し入れ口とし、カードケースを二つ折りしたときの内側面に、各第１カード出し入れ口と紙幣出し入れ口とが同一または直交する向きになるよう段階的にずらして１列に設けられ、第２収納部は、相対的に長い一辺または短い一辺のいずれかを第２の非接触ＩＣカードを出し入れするための第２カード出し入れ口とし、カードケースを二つ折りしたときの内側面に、第２カード出し入れ口と紙幣出し入れ口とが同一方向になるように、第１収納部とは独立して設けられる。導電体と第２の非接触ＩＣカードとは、互いの表面間が１ｍｍ以上離隔し、導電体が第２の非接触ＩＣカードの一部と重畳するように配置され、第２収納部は、二つ折り時の二つ折りカードケースの厚さＴが３０ｍｍ以下であるとき、Ｔの値に応じて、第２の非接触ＩＣカードの短手方向の一辺と導電体の対応する一辺との間の距離Ｄ１ｃと、第２の非接触ＩＣカードの長手方向の一辺と導電体の対応する一辺との間の距離Ｄ２ｃと、第２の非接触ＩＣカードの一角と導電体の対応する一角との間の距離Ｄ３ｃとのうちいずれかが表１１に示す値以上の値をとるように配置される。強度７．５Ａ／ｍの磁界を印加されたとき、複数の第１の非接触ＩＣカードはいずれも起動されず、第２の非接触ＩＣカードのみが起動されて通信可能となる。
【００３１】
【表１１】
2010020636.tif 000013
【００３２】
また、本発明がさらに提供するのは、ＩＣチップおよび非方形のアンテナを内蔵した非接触ＩＣカードを複数収納することのできる長方形の二つ折りカードケースである。ｋの二つ折りカードケースは、相対的に長い一辺に紙幣出し入れ口が設けられており、複数の第１の非接触ＩＣカードを１枚ずつ収納するための、各々方形の導電体を取り付けられた複数の第１収納部と、１枚の第２の非接触ＩＣカードを収納するための、第２の非接触ＩＣカードと同一の大きさを有し厚さ０．１ｍｍ以上で比透磁率２０以上または厚さ０．０５ｍｍ以上で比透磁率４０以上の方形の磁性体を取り付けられた１つの第２収納部とを備える。第１収納部は、相対的に長い一辺を第１の非接触ＩＣカードを出し入れするための第１カード出し入れ口とし、カードケースを二つ折りしたときの内側面に、各第１カード出し入れ口と紙幣出し入れ口とが同一または直交する向きになるよう段階的にずらして１列に設けられ、第２収納部は、相対的に長い一辺または短い一辺のいずれかを第２の非接触ＩＣカードを出し入れするための第２カード出し入れ口とし、カードケースを二つ折りしたときの内側面に、第２カード出し入れ口と紙幣出し入れ口とが同一方向になるように、第１収納部とは独立して設けられる。導電体と第２の非接触ＩＣカードとは、互いの表面間が１ｍｍ以上離隔し、導電体が第２の非接触ＩＣカードの一部と重畳するように配置され、第２収納部は、二つ折り時の前記二つ折りカードケースの厚さＴが３０ｍｍ以下であるとき、Ｔの値に応じて、第２の非接触ＩＣカードの短手方向の一辺と導電体の対応する一辺との間の距離Ｄ１ｄと、第２の非接触ＩＣカードの長手方向の一辺と導電体の対応する一辺との間の距離Ｄ２ｄと、第２の非接触ＩＣカードの一角と導電体の対応する一角との間の距離Ｄ３ｄとのうちいずれかが表１２に示す値以上の値をとるように配置される。強度１０Ａ／ｍの磁界を印加されたとき、複数の第１の非接触ＩＣカードはいずれも起動されず、第２の非接触ＩＣカードのみが起動されて通信可能となる。
【００３３】
【表１２】
2010020636.tif 000014
【００３４】
また、本発明が提供するのは、ＩＣチップおよび非方形のアンテナを内蔵した非接触ＩＣカードを複数収納することのできる長方形の二つ折りカードケースである。この二つ折りカードケースは、相対的に長い一辺に紙幣出し入れ口が設けられており、カードケースの内側面には、各々相対的に長い一辺を非接触ＩＣカードを出し入れするためのカード出し入れ口とし、各カード出し入れ口と紙幣出し入れ口とが同一の向きなるよう段階的にずらして１列に設けられた、それぞれ１枚の非接触ＩＣカードを収納するための複数の収納部を備える。この複数の収納部のうちいずれか１つの収納部には、非接触ＩＣカードと同一の大きさを有し厚さ０．１ｍｍ以上で比透磁率２０以上または厚さ０．０５ｍｍ以上で比透磁率４０以上の方形の磁性体が取り付けられ、複数の収納部のうち１つまたは２つの収納部には、各々方形の導電体が取り付けられる。導電体と、磁性体が取り付けられた収納部に収納された非接触ＩＣカードとは、互いの表面間が１ｍｍ以上離隔し、導電体が収納された非接触ＩＣカードの一部と重畳し、且つ、二つ折り時の二つ折りカードケースの厚さＴが３０ｍｍ以下であるとき、Ｔの値に応じて、収納された非接触ＩＣカードの短手方向の一辺と導電体の対応する一辺との間の距離Ｄ１ｃと、収納された非接触ＩＣカードの長手方向の一辺と導電体の対応する一辺との間の距離Ｄ２ｃと、収納された非接触ＩＣカードの一角と導電体の対応する一角との間の距離Ｄ３ｃとのうちいずれかが表１３に示す値以上の値をとるように配置される。強度７．５Ａ／ｍの磁界を印加されたとき、磁性体が取り付けられた収納部に収納された非接触ＩＣカードのみが起動されて通信可能となり、導電体が取り付けられた収納部に収納された非接触ＩＣカードはいずれも起動されない。
【００３５】
【表１３】
2010020636.tif 000015
【００３６】
また、本発明が提供するのは、ＩＣチップおよび非方形のアンテナを内蔵した非接触ＩＣカードを複数収納することのできる長方形の二つ折りカードケースである。この二つ折りカードケースは、相対的に長い一辺に紙幣出し入れ口が設けられており、カードケースの内側面には、各々相対的に長い一辺を非接触ＩＣカードを出し入れするためのカード出し入れ口とし、各カード出し入れ口と紙幣出し入れ口とが同一の向きなるよう段階的にずらして１列に設けられた、それぞれ１枚の非接触ＩＣカードを収納するための複数の収納部を備える。この複数の収納部のうちいずれか１つの収納部には、非接触ＩＣカードと同一の大きさを有し厚さ０．１ｍｍ以上で比透磁率２０以上または厚さ０．０５ｍｍ以上で比透磁率４０以上の方形の磁性体が取り付けられ、複数の収納部のうち１つまたは２つの収納部には、各々方形の導電体が取り付けられる。導電体と、磁性体が取り付けられた収納部に収納された非接触ＩＣカードとは、互いの表面間が１ｍｍ以上離隔し、導電体が収納された非接触ＩＣカードの一部と重畳し、且つ、二つ折り時の二つ折りカードケースの厚さＴが３０ｍｍ以下であるとき、Ｔの値に応じて、収納された非接触ＩＣカードの短手方向の一辺と導電体の対応する一辺との間の距離Ｄ１ｄと、収納された非接触ＩＣカードの長手方向の一辺と導電体の対応する一辺との間の距離Ｄ２ｄと、収納された非接触ＩＣカードの一角と導電体の対応する一角との間の距離Ｄ３ｄとのうちいずれかが表１４に示す値以上の値をとるように配置される。強度１０Ａ／ｍの磁界を印加されたとき、磁性体が取り付けられた収納部に収納された非接触ＩＣカードのみが起動されて通信可能となり、導電体が取り付けられた収納部に収納された非接触ＩＣカードはいずれも起動されない。
【００３７】
【表１４】
2010020636.tif 000016
【００３８】
前述した二つ折りカードケースにおいて、導電体は圧延した箔状の金属体である。
【００３９】
また、本発明が提供するのは、ＩＣチップおよび非方形のアンテナを内蔵した非接触ＩＣカードを複数収納することのできる長財布である。この長財布は、略正方形の収納体を中心線に沿って谷折りしてなり、中心線に平行に、中心線に向かって開口するよう設けられた紙幣出し入れ口と、複数の第１の非接触ＩＣカードを１枚ずつ収納するための、各々方形の導電体を取り付けられた複数の第１収納部と、１枚の第２の非接触ＩＣカードを収納するための１つの第２収納部とを備える。第１収納部は、相対的に長い一辺を第１の非接触ＩＣカードを出し入れするための第１カード出し入れ口とし、長財布の内側面に、各第１カード出し入れ口と紙幣出し入れ口とが同一の向きになるよう、２列にわたって段階的にずらして設けられ、第２収納部は、相対的に長い一辺または短い一辺のいずれかを第２の非接触ＩＣカードを出し入れするための第２カード出し入れ口とし、長財布の内側面の中央に、中心線を避けて、第２カード出し入れ口と紙幣出し入れ口とが同一方向になるように、第１収納部とは独立して設けられる。第１収納部に取り付けられた導電体は、第１収納部の各列の間で、第２収納部が相対的に長い一辺を第２カード出し入れ口とする場合には２ｍｍ以上離隔し、相対的に短い一辺を第２カード出し入れ口とする場合には６．５ｍｍ以上離隔するよう配置され、強度７．５乃至１０Ａ／ｍの磁界を印加されたとき、複数の第１の非接触ＩＣカードはいずれも起動されず、第２の非接触ＩＣカードのみが起動されて通信可能となる。
【００４０】
この長財布において、導電体は圧延した箔状の金属体である。
【発明の効果】
【００４１】
本発明によれば、非接触ＩＣカードの所持枚数にかかわらず、所望の１枚の非接触ＩＣカードのみについて、カードリーダとの通信を可能とすることができる。非接触ＩＣカードの表裏いずれの面をカードリーダにかざすか、すなわち非接触ＩＣカードのいずれの面に磁界が印加されるかには関係なく、特定の１枚の非接触ＩＣカードのみを起動することができる。
【発明を実施するための最良の形態】
【００４２】
以下、図面を参照して本発明の実施例について説明するが、その前に、一般的に普及している非接触ＩＣカードの構造および動作について簡単に述べる。
【００４３】
本発明は、ＩＳＯ／ＩＥＣ１８０９２に準拠し、且つ日本鉄道サイバネティクス協議会出改札システム委員会が定めるＩＣカードに準拠した、ソニー株式会社製フェリカＲＣ−Ｓ８５３およびＲＣ−Ｓ８５４を念頭に開発したものである。図２には、これらの非接触ＩＣカードの内部に配置されたアンテナコイルの形状を概略的に示す。
【００４４】
図示するように、非接触ＩＣカード７０には、カード７０の外郭に沿った四角形状のアンテナコイル７００Ａまたは木の葉形状の７００Ｂが内蔵されている。このような非接触ＩＣカード７０に対してカードリーダが磁界を発生すると、アンテナコイル７００Ａ／７００Ｂでは磁束が電流に変換され、非接触ＩＣカード７０に内蔵された図示しないＩＣチップの電源として利用される。そして、カードリーダの磁界とは逆向きの磁界が発生し、カードリーダからのリクエストコマンド信号に対する返信が行われる。すなわち、非接触ＩＣカード７０が起動され、通信が行われる。こうした一連の動作により、カードリーダは非接触ＩＣカードに記録されている情報を読取ることができる。
【００４５】
ここで、前掲の特許文献１に記載されているように、非接触ＩＣカードの全面を導電体で覆った場合には、カードリーダからの磁界が遮断されるため、非接触ＩＣカードは起動されず、通信が行われないことが知られている。そして、磁性体には、非接触ＩＣカードとカードリーダとの間に配置されたときにはカードリーダからの磁界を打消して非接触ＩＣカードを起動させず、磁性体とカードリーダとの間に非接触ＩＣカードが位置するように配置された場合にはカードリーダからの磁界を増幅して非接触ＩＣカードの通信性を助長する性質があることがわかっている。
【００４６】
また、本発明者がさらに研究したところ、導電体の大きさや配置によっては、非接触ＩＣカードの全面もしくは非接触ＩＣカードに内蔵されたアンテナの位置をすべて覆わなくても、非接触ＩＣカードとカードリーダとの間における通信を阻止可能であることがわかった。この点については、本出願人による特願２００８−１６４６９１において明らかにされているところである。
【００４７】
そこで、本発明によるパスケース、二つ折り財布および長財布は、上述したような導電体および磁性体の性質を利用するため、いずれも導電体を用いて構成し、場合によっては導電体および磁性体を用いて構成するものとする。
【００４８】
＜実施例１＞
図１（ａ）に示すのは、本発明の第一の実施例によるパスケースである。パスケース１１０は、それぞれ１枚の非接触ＩＣカードを収納するポケットを表裏一体に備えて構成されている。このうち一方のポケット１１１には、カードリーダにかざしたときに通信可能とする非接触ＩＣカードを収納し、ポケット１１１の裏面に位置する図示しない他方のポケットには、カードリーダにかざしても通信を不可とする非接触ＩＣカードを収納する。
【００４９】
換言すれば、表裏に収納された２枚の非接触ＩＣカードは、カードリーダの磁界がどちらの面から印加されたとしても、一方のポケット１１１に収納された非接触ＩＣカードのみが起動され、他方のポケットに収納された非接触ＩＣカードは起動されない。
【００５０】
このようなパスケース１１０の構造を定めるため、次のような実験を行った。なお、以下の表においては、特に表示されている場合を除き、数字はすべてｍｍを単位とする。
【００５１】
［実験１］
図３（ａ）および（ｂ）に示すのは実験１の様子である。図示するように、実験１においてはカードリーダ３０の上に２枚の非接触ＩＣカード７０１および７０２を載置して、その間に導電体２０および磁性体４０を介在させ、この導電体２０および磁性体４０の大きさを変化させた。このとき、２枚の非接触ＩＣカード７０１および７０２、導電体２０、磁性体４０は、カードリーダ３０に近い方から非接触ＩＣカード７０２、導電体２０、磁性体４０、非接触ＩＣカード７０１の順になるように配置した。導電体２０および磁性体４０は同一の大きさを有し、各辺を合わせて重畳されている。
【００５２】
先に述べた本出願人による特願２００８−１６４６９１において、このような配置では、カードリーダ３０から磁界を印加されると、磁性体４０に近接する非接触ＩＣカード７０１のみが起動され非接触ＩＣカード７０２は起動されない場合と、両方の非接触ＩＣカード７０１および７０２の両方が起動されて混信が生じる場合とがあることがわかっている。
【００５３】
そこで、図３（ａ）および（ｂ）に示すように、各非接触ＩＣカード７０１および７０２と導電体２０および磁性体４０との間に０．２ｍｍの間隙を設けるとともに、導電体２０および磁性体４０を重畳させ、その中心点が非接触ＩＣカード７０１および７０２の中心点と重なるように配置し、カードリーダ３０から磁界を印加されたときに、非接触ＩＣカード７０１のみがカードリーダ３０との通信を行うような導電体２０および磁性体４０の大きさを調べた。ここで、カードリーダ３０の磁界強度は７．５〜１０Ａ／ｍ、磁性体の比透磁率は１００、厚みは０．０５ｍｍとした。実験１の結果を表１５に示す。
【００５４】
【表１５】
2010020636.tif 000017
【００５５】
実験１では、導電体２０および磁性体４０の幅Ｘａを４１〜６１ｍｍの範囲で１ｍｍ刻みに変化させ、これに対応する長さＹａの最小値（下限）および最大値（上限）を明らかにした。表１５において、「×」は、非接触ＩＣカード７０１および７０２の両方が起動されて混信が発生し、非接触ＩＣカード７０１のみを通信可能とすることができないことを表している。
【００５６】
したがって、図３に示す状態では、導電体２０および磁性体４０の大きさが表１６に示す幅Ｘ１および長さＹ１の範囲であれば、非接触ＩＣカード７０１のみが起動されることがわかった。
【００５７】
【表１６】
2010020636.tif 000018
【００５８】
［実験２］
図４（ａ）および（ｂ）に示すのは実験２の様子である。実験２においては、導電体２０および磁性体４０の隣り合う２辺と非接触ＩＣカード７０１および７０２の対応する２辺とを揃えて配置した点を除いて、カードリーダ３０の上に２枚の非接触ＩＣカード７０１および７０２と、導電体２０と、磁性体４０とを実験１と同様に配置した。そして、一方の非接触ＩＣカード７０１のみがカードリーダ３０と通信可能となるような導電体２０および磁性体４０の大きさを調べた。
【００５９】
このとき、各非接触ＩＣカード７０１および７０２と導電体２０および磁性体４０との間には０．２ｍｍの間隙を設け、カードリーダ３０の磁界強度は７．５〜１０Ａ／ｍ、磁性体の比透磁率は１００、厚みは０．０５ｍとした。実験２の結果を表１７に示す。
【００６０】
【表１７】
2010020636.tif 000019
【００６１】
実験２においては、導電体２０および磁性体４０の幅Ｘｂを４４〜６１ｍｍの範囲で１ｍｍ刻みに変化させ、これに対応する長さＹｂの最小値（下限）および最大値（上限）を明らかにした。表１７において、「×」は、非接触ＩＣカード７０１および７０２の両方が起動されて混信が発生し、非接触ＩＣカード７０１のみを起動することができないことを示している。
【００６２】
実験２から、図４に示す状態では、導電体２０および磁性体４０の大きさが表１８に示す幅Ｘ２および長さＹ２の範囲であれば、非接触ＩＣカード７０１のみが起動され通信可能となることがわかった。
【００６３】
【表１８】
2010020636.tif 000020
【００６４】
［実験３］
図５（ａ）および（ｂ）に示すのは実験３の様子である。実験３においては、実験１と同じく、カードリーダ３０の上に載置された２枚の非接触ＩＣカード７０１および７０２の間に導電体２０および磁性体４０を介在させ、これらを非接触ＩＣカード７０１および７０２の中心部に配置した。そして、この導電体２０および磁性体４０を横方向Ａおよび縦方向Ｂに移動させ、非接触ＩＣカード７０１のみがカードリーダ３０と通信可能となるような導電体２０および磁性体４０の大きさと位置とを調べた。
【００６５】
実験１と同じく、各非接触ＩＣカード７０１および７０２と導電体２０および磁性体４０との間には０．２ｍｍの間隙を設け、導電体２０と磁性体４０とは同一の大きさを有し、各辺を揃えて重畳させたものとした。また、カードリーダ３０の磁界強度は１０Ａ／ｍ、磁性体の比透磁率は１００、厚みは０．０５ｍｍとした。実験３の結果を表１９に示す。
【００６６】
【表１９】
2010020636.tif 000021
【００６７】
実験３においては、導電体２０および磁性体４０の幅Ｘｃを３９〜６２ｍｍの範囲で１ｍｍ刻みに変化させ、これに対応し非接触ＩＣカード７０１のみを起動可能とする長さＹｃを明らかにした。表１９において、「×」は、非接触ＩＣカード７０１および７０２の両方が起動されて混信が発生し、非接触ＩＣカード７０１のみを起動することができないことを示している。
【００６８】
実験３から、実験１および２で得られた結果については、導電体２０および磁性体４０の位置に多少のずれが生じても同じ効果が得られることがわかった。
【００６９】
［実験４−１］
図６（ａ）および（ｂ）に示すのは実験４−１の様子である。実験４−１においては、カードリーダ３０の上に１枚の非接触ＩＣカード７０を載置し、その上に、中心点が非接触ＩＣカード７０の中心点と重なるように導電体２０を配置して、カードリーダ３０から磁界を印加されたときに非接触ＩＣカード７０が通信可能となる導電体２０の大きさ（幅Ｘｄおよび長さＹｄ）と、非接触ＩＣカード７０と導電体２０との間の距離Ｃ１とを調べた。結果を表２０に示す。
【００７０】
【表２０】
2010020636.tif 000022
【００７１】
［実験４−２］
図６（ｃ）および（ｄ）に示すのは実験４−２の様子である。実験４−２においては、実験４−１に倣ってカードリーダ３０の上に１枚の非接触ＩＣカード７０を載置し、その隣り合う２辺と導電体２０の対応する２辺とを揃えて配置して、カードリーダ３０から磁界を印加されたときに非接触ＩＣカード７０が通信可能となる導電体２０の大きさ（幅Ｘｅおよび長さＹｅ）と、非接触ＩＣカード７０と導電体２０との間の距離Ｃ２とを調べた。結果を表２１に示す。
【００７２】
【表２１】
2010020636.tif 000023
【００７３】
表２１において、「×」はカードリーダ３０と非接触ＩＣカード７０との通信が行われないことを示している。
【００７４】
これらの実験４−１および４−２の結果から、カードリーダ３０と非接触ＩＣカード７０との通信が可能となるような導電体２０の大きさは、導電体２０と非接触ＩＣカード７０との間の距離に応じて設計する必要のあることが明らかになった。
【００７５】
［実験５−１］
図７（ａ）および（ｂ）に示すのは実験５−１の様子である。この実験では、比透磁率が２２、厚さが０．１５ｍｍである磁性体を用いる点を除いて、すべて実験１および２と同様の実験を行った。すると、実験１と同様に導電体２０および磁性体４０を、中心点が非接触ＩＣカード７０１および７０２の中心点と重なるように配置した場合については実験１と同じ結果が、また、実験２と同様に導電体２０および磁性体４０を非接触ＩＣカード７０１および７０２の端部に配置した場合については実験２と同じ結果が得られた。
【００７６】
［実験５−２］
図７（ｃ）および（ｄ）に示すのは実験５−２の様子である。この実験では、比透磁率が２２、厚さが０．１５ｍｍで、非接触ＩＣカード７０１および７０２と同一の大きさを有する磁性体を用いる点、ならびにカードリーダ３０の磁界強度を１０Ａ／ｍとする点を除いて、すべて実験１および２と同様の実験を行った。すると、導電体２０を、中心点が非接触ＩＣカード７０１および７０２と磁性体４０との中心点と重なるように配置した場合には実験１と同じ結果が得られた。すなわち、導電体２０の幅Ｘｆと長さＹｆとは、それぞれ表１５に示すＸａおよびＹａと同一の値をとることがわかった。
【００７７】
一方、導電体２０の隣り合う２辺を非接触ＩＣカード７０１および７０２と磁性体４０との対応する２辺と揃えて配置した場合には、表２２に示す結果が得られた。
【００７８】
【表２２】
2010020636.tif 000024
【００７９】
表２２において、「○」は非接触ＩＣカード７０１のみが通信可能となることを示し、「×」は非接触ＩＣカード７０１および７０２の両方が起動されて混信が発生することを示している。このように、実験５−２から、磁性体４０が導電体２０よりも大きいと、磁性体４０の比透磁率や厚さによっては一方の非接触ＩＣカード７０１のみを起動させることはできない場合もあることが明らかになった。
【００８０】
［実験６］
図８（ａ）および（ｂ）に示すのは実験６の様子である。実験６においては、カードリーダ３０の上に２枚の非接触ＩＣカード７０１および７０２を載置して、その間に導電体２０と磁性体４０とを介在させ、この導電体２０と磁性体４０との間の間隙Ｅを変化させた。前述した他の実験と同様に、カードリーダ３０に近い方から非接触ＩＣカード７０２、導電体２０、磁性体４０、非接触ＩＣカード７０１を順に配置し、導電体２０および磁性体４０は、中心点が非接触ＩＣカード７０１および７０２の中心点と重なるように位置させた。そして、導電体２０と磁性体４０との間の距離Ｅと、カードリーダ３０と非接触ＩＣカード７０１との通信が可能な距離Ｆとを調べた。実験６の結果を表２３に示す。
【００８１】
【表２３】
2010020636.tif 000025
【００８２】
実験６においては、３種類の大きさを有する導電体２０および磁性体４０を用い、それぞれ間隙Ｅを０．５〜２．５ｍｍの範囲で０．５ｍｍずつ変化させるとともに、これに伴い距離Ｆがどのように変化するのかを調べた。すると、表２３に示されるように、間隙Ｅが広がるほど、カードリーダ３０と非接触ＩＣカード７０２との通信距離Ｆは長くなった。これは、導電体２０と磁性体４０との間に空間ができることによって、カードリーダ３０からの磁界を受けて発生した導電体２０からの反磁界の影響が小さくなるためと考えられる。
【００８３】
なお、実験６の配置によれば、先の実験５−２のように磁性体４０を非接触ＩＣカード７０１および７０２と同一の大きさとした場合であっても、表２３と同一の結果が得られることがわかった。
【００８４】
［実験７−１］
実験７−１は、導電体２０として厚さ１２μｍのアルミ、厚さ３５μｍのアルミ、および厚さ３０μｍの銅を使用する点を除き、前述した実験１と同一である。したがって、各要素の配置については再び図１を参照する。
【００８５】
実験７−１を行ったところ、導電体２０の厚さや素材を様々に変更した場合であっても、非接触ＩＣカード７０１のみをカードリーダ３０と通信可能とする導電体および磁性体の大きさは、実験１により得られた結果と同一であることがわかった（表１６を参照）。
【００８６】
［実験７−２］
実験７−２は、導電体２０として実験７−１と同じく厚さ１２μｍのアルミ、厚さ３５μｍのアルミ、および厚さ３０μｍの銅を使用する点を除き、前述した実験２と同一である。そこで、各要素の配置については再び図２を参照する。
【００８７】
実験７−２を行ったところ、導電体２０の厚さや素材を様々に変更した場合であっても、非接触ＩＣカード７０１のみをカードリーダ３０と通信可能とする導電体および磁性体の大きさは、実験２により得られた結果と同一であることがわかった（表１７を参照）。
【００８８】
これらの実験７−１および７−２の結果から、導電体２０の条件としては、圧延した箔状の金属体であればよいものと考えられる。このような金属体は、最も薄いものでも７μｍ程度の厚さを有しており、密度も均一である。これに対し、スパッタリング等で生成した金属薄膜は、導電体２０としての使用には適さない。これは、密度が不均一であるとともに厚さが１μｍ程度と不十分であるため、望ましい結果を得ることができないからである。
【００８９】
以上を踏まえると、図１（ａ）に示す本発明の第一の実施例によるパスケース１１０の構造は、図９の概略断面図に示すようになる。
【００９０】
パスケース１１０は、表裏にそれぞれ１つのポケット１１１および１１２を備え、それぞれ１枚の非接触ＩＣカード７０１および７０２を収納するように構成されている。非接触ＩＣカード７０１と非接触ＩＣカード７０２との間には、中仕切り５０１〜５０３と、導電体２０と、磁性体４０とが介在されており、導電体２０は中仕切り５０１と中仕切り５０３との間に、磁性体４０は中仕切り５０２と中仕切り５０３との間に配置される。
【００９１】
ここで、実際にパスケース１１０を製作する際には、中仕切り５０１および５０２として主にナイロン等が用いられ、その厚さは約０．２ｍｍである。したがって、非接触ＩＣカードと導電体２０との間および非接触ＩＣカード７０２と磁性体４０との間には、自ずと間隙が設けられることになる。また、中仕切り５０３としては一定の厚さを有する台紙等を使用することにより、導電体２０と磁性体４０との間に適切な間隙を設けることができる。中仕切り５０１〜５０３は縫合等により一体化され、導電体２０および磁性体４０は各中仕切り５０１〜５０３の間に封入される。導電体２０および磁性体４０は、非接触ＩＣカード７０１および７０２との位置関係に従って、導電体２０および磁性体４０が非接触ＩＣカード７０１および７０２の中央部に配置されているときには表１６に示す大きさを、端部に配置されているときには表１８に示す大きさを有する。
【００９２】
さらに、外カバー６０１および６０２が縫合等によって取り付けられ、外カバー６０１と中仕切り５０１との間および外カバー６０２と中仕切り５０２との間には、それぞれポケット１１１および１１２が形成される。図１（ａ）に見られるように、外カバー６０１を枠状に成形し、ポケット１１１に収納される非接触ＩＣカード７０１が交通機関の定期乗車券等である場合には表面の印字が確認できるようにしてもよい。
【００９３】
ポケット１１１に収納される非接触ＩＣカード７０１は、ポケット１１１側またはポケット１１２側のいずれからカードリーダ３０の磁界を印加されても、カードリーダ３０と通信を行うことができる。一方、ポケット１１２に収納される非接触ＩＣカード７０２は、ポケット１１１側またはポケット１１２側のいずれからカードリーダ３０の磁界を印加されても起動されることはない。
【００９４】
したがって、パスケース１１０によれば、起動を所望する１枚の非接触ＩＣカード７０１をポケット１１１に収納しておくことにより、２枚の非接触ＩＣカード７０１および７０２のうちどちらをカードリーダ３０にかざすのかを考慮したり目視により確認したりすることなく、非接触ＩＣカード７０１のみを通信可能とすることができる。
【００９５】
＜実施例２＞
次に、本発明の第二の実施例として、図１（ｂ）に示す二つ折り財布に関して説明する。図示するように、二つ折り財布１２０は長方形に形成されており、破線部で谷折りした状態で携帯する。また、複数のカード収納ポケット１２１、紙幣収納ポケット１２２、硬貨収納ポケット１２３を備え、カード収納ポケット１２１の裏側にあたる位置には通信用ポケット１２４を有する。
【００９６】
通信用ポケット１２４には、カードリーダにかざしたときに通信可能とする１枚の非接触ＩＣカードを収納し、カード収納ポケット１２１には、カードリーダにかざしても起動させない非接触ＩＣカードを収納する。カードリーダからの磁界が二つ折り財布１２０のどの面から印加されたとしても、通信用ポケット１２４に収納された１枚の非接触ＩＣカードのみが起動され、各カード収納ポケット１２１に収納された１枚または２枚以上の非接触ＩＣカードはいずれも起動されない。
【００９７】
このような二つ折り財布１２０を作成するにあたり、前述の実験１〜８の結果を考慮するとともに、次のような実験を行った。
【００９８】
［実験８］
図１０（ａ）〜（ｄ）に示すのは実験８の様子である。実験８では、カードリーダ３０と１枚の非接触ＩＣカード７０との間に１００ｍｍ四方で厚さ７μｍのアルミ箔２０を配置し、非接触ＩＣカード７０を、アルミ箔２０と完全に重なった状態からどの程度移動させれば非接触ＩＣカード７０とカードリーダ３０との通信が可能になるのかを調べた。アルミ箔２０の大きさは、二つ折り財布１２０の複数のカード収納ポケット１２１のすべてをカバーすることを想定したものである。
【００９９】
図１０（ｂ）〜（ｄ）に示すように、非接触ＩＣカード７０は３方向に移動させた。第１の方向は縦方向であり、非接触ＩＣカード７０とカードリーダ３０との通信が可能となるような、アルミ箔２０の一辺と非接触ＩＣカード７０の対応する相対的に短い一辺との間の距離Ｄ１を調べた。第２の方向は横方向であり、非接触ＩＣカード７０とカードリーダ３０との通信が可能となるような、アルミ箔２０の一辺と非接触ＩＣカード７０の対応する相対的に長い一辺との間の距離Ｄ２を調べた。第３の方向は斜め方向であり、非接触ＩＣカード７０とカードリーダ３０との通信が可能となるような、アルミ箔２０の一角と非接触ＩＣカード７０の対応する一角との間の距離Ｄ３を調べた。
【０１００】
このとき、図１０（ａ）に示すアルミ箔２０と非接触ＩＣカード７０との間の間隙Ｇを、０．５〜４ｍｍの範囲で変化させた。また、カードリーダ３０とアルミ箔２０との間の距離Ｔを１０ｍｍ、２０ｍｍまたは３０ｍｍとし、カードリーダ３０の磁界強度は７．５Ａ／ｍまたは１０Ａ／ｍとした。磁界強度が７．５Ａ／ｍの場合については表２４に、磁界強度が１０Ａ／ｍの場合については表２５に、それぞれ実験８の結果を示す。
【０１０１】
【表２４】
2010020636.tif 000026
【０１０２】
【表２５】
2010020636.tif 000027
【０１０３】
表２４および表２５より、間隙Ｇが大きくなるほど、カードリーダ３０と非接触ＩＣカード７０との通信が可能となるまでの移動距離Ｄ１ａ・Ｄ１ｂ、Ｄ２ａ・Ｄ２ｂおよびＤ３ａ・Ｄ３ｂは短くなることがわかる。また、カードリーダ３０からアルミ箔２０までの距離Ｔが長くなるほど、距離Ｄ１ａ・Ｄ１ｂ、Ｄ２ａ・Ｄ２ｂおよびＤ３ａ・Ｄ３ｂは長くなることも明らかとなった。二つ折り財布１２０を実際に製作する際、非接触ＩＣカード７０と導電体２０との間には、厚さ１ｍｍ以上の皮革等を用いて仕切りが設けられることから、設計にあたってはこの点を考慮する必要がある。
【０１０４】
［実験９］
図１１（ａ）〜（ｄ）に示すのは実験９の様子である。実験９では、実験８で用いた１枚の非接触ＩＣカード７０とアルミ箔２０との間に非接触ＩＣカード７０と同一の大きさを有する磁性体４０を介在させ、この磁性体４０の比透磁率および厚さを様々に変化させた。そして、非接触ＩＣカード７０および磁性体４０をアルミ箔２０と完全に重なった状態からどの程度移動させれば、非接触ＩＣカード７０とカードリーダ３０との通信が可能になるのかを調べた。
【０１０５】
図１１（ｂ）〜（ｄ）に示すように、実験９においても実験８と同様、非接触ＩＣカード７０および磁性体４０を縦方向、横方向、斜め方向に移動させ、それぞれ非接触ＩＣカード７０とカードリーダ３０との間の距離Ｄ１、Ｄ２、Ｄ３を調べた。ここで、磁性体４０としては、厚さが０．０５ｍｍで比透磁率が４０のものおよび１００のもの、厚さが０．０７５ｍｍで比透磁率が４０のもの、厚さが０．１ｍｍで比透磁率が２０のもの、５０のもの、６０のものおよび８０のもの、厚さが０．１５ｍｍで比透磁率が２０のもの、厚さが０．２ｍｍで比透磁率が８０のものおよび１００のものを用いた。また、カードリーダ３０とアルミ箔２０との間の距離Ｔを１０ｍｍ、２０ｍｍまたは３０ｍｍとし、カードリーダ３０の磁界強度は７．５Ａ／ｍまたは１０Ａ／ｍとした。磁界強度が７．５Ａ／ｍの場合については表２６に、磁界強度が１０Ａ／ｍの場合については表２７に、それぞれ実験９の結果を示す。
【０１０６】
【表２６】
2010020636.tif 000028
【０１０７】
【表２７】
2010020636.tif 000029
【０１０８】
表２６および表２７を参照すると、磁性体４０の厚さが増すほど、非接触ＩＣカード７０が通信可能となるまでの移動距離Ｄ１ｃ・Ｄ１ｄ、Ｄ２ｃ・Ｄ２ｄおよびＤ３ｃ・Ｄ３ｄが短くなる傾向があることがわかる。その一方で、磁性体４０の厚さが０．２ｍｍの場合、カードリーダ３０の磁界強度が小さくなると、このような傾向には当てはまらない場合もあることがわかった。
【０１０９】
さらに、実験９からは、磁性体４０の比透磁率が高いほど、非接触ＩＣカードの移動距離Ｄ１ｃ・Ｄ１ｄ、Ｄ２ｃ・Ｄ２ｄおよびＤ３ｃ・Ｄ３ｄが短くなる傾向にあることも明らかになった。
【０１１０】
ところで、図１（ｂ）に示すような二つ折り財布１２０の場合、折畳んだ状態ではカード収納ポケット１２１と通信用ポケット１２４との大部分が重なってしまう。したがって、二つ折り財布１２０の構造は、この点を念頭に設計する必要がある。前述した実験１および２の結果を考慮すると、二つ折り財布１２０の概略的な構造は、例えば図１２（ａ）および（ｂ）ならびに図１３（ａ）および（ｂ）に示すようになる。
【０１１１】
図１２（ａ）および（ｂ）に示す二つ折り財布１２０ａおよび１２０ｂは、各カード収納ポケット１２１の開口部が紙幣収納ポケット１２２の開口部と同一方向に配置されているものである。また、図１３（ａ）および（ｂ）に示す二つ折り財布１２０ｃおよび１２０ｄは、カード収納ポケット１２１の開口部が紙幣収納ポケット１２２の開口部と直交する向きに配置されているものである。二つ折り財布１２０ａ〜１２０ｄにおいては、紙幣収納ポケット１２２内の破線で示す位置に非接触ＩＣカード７０を収納する通信用ポケット１２４が位置するようにする。通信用ポケット１２４には、非接触ＩＣカード７０と同一の大きさを有する磁性体４０が取り付けられる。この磁性体は、厚さが０．１ｍｍ以上で比透磁率が２０以上、または厚さが０．０５ｍｍ以上で比透磁率が４０以上のものとする。
【０１１２】
ここで、カードリーダ３０から磁界を受けたとき、通信用ポケット１２４に収納された非接触ＩＣカード７０のみが起動され、カード収納ポケット１２１に収納された図示しない非接触ＩＣカードがいずれも起動されないようにするためには、各カード収納ポケット１２１に取り付けられる導電体と非接触ＩＣカードとが、実験８で明らかになったような位置関係にあることが必要である。そうすると、カード収納ポケット１２１に取り付けられる各導電体２０１〜２０４の大きさは、カードリーダ３０から磁界を印加されたときにカード収納ポケット１２１に収納された非接触ＩＣカードが起動されるのを阻止することができる大きさのうち、可能な限り小さいものであることが望ましい。
【０１１３】
そこで、先に実験１および２で用いた大きさの導電体２０を各カード収納ポケット１２１に取り付けて二つ折り財布１２０を構成したところ、この大きさの導電体によれば所望の結果が得られることがわかった。
【０１１４】
すなわち、導電体２０１〜２０４は、中心点が各カード収納ポケット１２１に収納された非接触ＩＣカードの中心点と重なる位置となるように取り付けられた場合には、表２８に示す大きさを有すればよい。
【０１１５】
【表２８】
2010020636.tif 000030
【０１１６】
また、導電体２０の隣り合う２辺とカード収納ポケット１２１に収納された非接触ＩＣカードの隣り合う２辺とが揃うように取り付けられた場合には、導電体２０１〜２０４は表２９に示す大きさを有すればよい。
【０１１７】
【表２９】
2010020636.tif 000031
【０１１８】
このような二つ折り財布１２０によれば、カードリーダ３０からの磁界を受けたとき、通信用ポケット１２４に収納された１枚の非接触ＩＣカード７０のみを起動させることができる。このとき、カード収納ポケット１２１に何枚の非接触ＩＣカードを収納していたとしても、通信用ポケット１２４に収納された非接触ＩＣカード７０以外の非接触ＩＣカードはカードリーダ３０との通信を行わない。
【０１１９】
また、さらに別の形態として、二つ折り財布１２０の複数のカード収納ポケット１２１のうち、最下段に位置する１つのカード収納ポケットを通信用ポケット１２４とすることも可能である。そのような二つ折り財布１２０ｅを図１４に示す。
【０１２０】
この二つ折り財布１２０ｅでは、４段のカード収納ポケット１２１のうち紙幣収納ポケット１２２に最も近い最上段位置に配置された１段のカード収納ポケットに、実験１および２で用いたものと同一の大きさの磁性体４０を取り付けている。また、紙幣収納ポケット１２２から最も遠い最下段位置に配置された１段のカード収納ポケットには、磁性体４０と同一の大きさを有する導電体２０１を取り付けている。
【０１２１】
財布１２０ｅをこのように構成することにより、通信用ポケットを別途設けることなく、１つのカード収納ポケット１２１を通信用ポケット１２４として使用することが可能となる。すなわち、通信用ポケット１２４である最下段のカード収納ポケットに収納された非接触ＩＣカードのみがカードリーダからの磁界を受けたときに起動され、その他のカード収納ポケット１２１に収納された非接触ＩＣカードは起動されない。
【０１２２】
また、最下段およびそれに隣接する段のカード収納ポケットの両方に導電体を取り付け、最上段のカード収納ポケットに磁性体を取り付けた場合にも、最下段のカード収納ポケットのみを通信用ポケット１２４とすることができる。あるいは、カード収納ポケット１２１に取り付けられる磁性体および導電体の位置関係を実験１および２の結果に基づいて定めることにより、最下段に限らずいずれか１段を通信用ポケット１２４とし、その他の段のカード収納ポケット１２１に収納された非接触ＩＣカードは起動されないようにすることも可能である。
【０１２３】
なお、二つ折り財布１２０において、カード収納ポケット１２１が非接触ＩＣカードよりも十分に大きく形成されている場合には、カード収納ポケット１２１内で非接触ＩＣカードが移動することが考えられる。よって、そのような場合には、カード収納ポケット１２１に取り付ける導電体２０の大きさを、非接触ＩＣカードがずれる可能性のある距離を考慮して決定する必要がある。
【０１２４】
また、例えば図１５に示すように、通信を所望しない非接触ＩＣカードの表裏に、中央部で２ｍｍ重なるように導電体を配置すると、表２８および表２９に示したよりも小さな導電体で非接触ＩＣカードを起動させないようにすることができる。
【０１２５】
＜実施例３＞
続いて、本発明の第三の実施例として、図１（ｃ）に示す長財布に関して説明する。図示するように、長財布１３０は方形に形成され、破線部で谷折りした状態で携帯するものであり、複数のカード収納ポケット１３１、紙幣収納ポケット１３２、および紙幣収納ポケット１３２内に設けられた通信用ポケット１３３を有する。
【０１２６】
通信用ポケット１３３には、カードリーダにかざしたときに通信可能とする１枚の非接触ＩＣカードを収納し、カード収納ポケット１３１には、カードリーダにかざしても起動させない非接触ＩＣカードを収納する。カードリーダからの磁界が長財布１３０のどの面から印加されても、通信用ポケット１３３に収納された１枚の非接触ＩＣカードのみが起動され、各カード収納ポケット１３１に収納された１枚または２枚以上の非接触ＩＣカードはいずれも起動されない。
【０１２７】
このような長財布１３０の作成のため、次のような実験を行った。
【０１２８】
［実験１０］
図１６（ａ）および（ｂ）に示すのは実験１０の様子である。実験１０では、カードリーダ３０の上に１００ｍｍ四方のアルミ箔２０ａおよび２０ｂを並置し、その上に、これらのアルミ箔２０ａおよび２０ｂにそれぞれ等しい面積だけ重なるよう非接触ＩＣカード７０を配置した。そして、アルミ箔２０ａおよび２０ｂを徐々に離隔させていき、カードリーダ３０と非接触ＩＣカード７０との通信が可能となるような距離Ｈを調べた。
【０１２９】
すると、図１７（ａ）に示すように、アルミ箔２０ａおよび２０ｂの対向する辺と非接触ＩＣカードの相対的に短い辺とが平行するように非接触ＩＣカード７０が配置された場合には、アルミ箔２０ａと２０ｂとの離隔距離Ｈ１が２ｍｍになると、カードリーダ３０と非接触ＩＣカード７０との間での通信が可能となることがわかった（カードリーダ３０は図示しない）。
【０１３０】
一方、図１７（ｂ）に示すように、離隔されるアルミ箔２０ａおよび２０ｂの対向する辺と非接触ＩＣカードの相対的に長い辺とが平行するように非接触ＩＣカード７０が配置された場合には、アルミ箔２０ａと２０ｂとの離隔距離Ｈ２が６．５ｍｍとなったところで、カードリーダ３０と非接触ＩＣカード７０との間での通信が可能となることがわかった（カードリーダ３０は図示しない）。
【０１３１】
［実験１１］
図１８（ａ）および（ｂ）に示すのは実験１１の様子である。実験１１においては、アルミ箔２０ａおよび２０ｂと非接触ＩＣカード７０とを実験１０と同様に配置し、さらにカードリーダ３０とアルミ箔２０ａおよび２０ｂならびに非接触ＩＣカード７０との間の距離Ｉを変化させて、アルミ箔２０ａと２０ｂとの間の離隔距離Ｈの変化との関係を調べた。実験１１の結果を表３０に示す。
【０１３２】
【表３０】
2010020636.tif 000032
【０１３３】
実験１１から、アルミ箔２０ａと２０ｂとの離隔距離Ｈが大きくなるにつれ、カードリーダ３０からの距離Ｉも長くなることがわかった。
【０１３４】
この結果を踏まえると、図１９に示すような構造を有する長財布１３０において、各カード収納ポケット１３１に取り付けられる導電体２０１〜２０６は、並列する導電体間、すなわち導電体２０１と２０４との間、２０２と２０５との間、２０３と２０６との間が十分に離隔して配置されるのが望ましい。
【０１３５】
また、二つ折り財布１２０に関連して前述したのと同様に、カード収納ポケット１３１に取り付けられる導電体は、カードリーダ３０から磁界を受けたとき、通信用ポケット１３３に収納された非接触ＩＣカード７０のみが起動され、カード収納ポケット１３１に収納された図示しない各非接触ＩＣカードがいずれも起動されないような大きさを有するのがよい。よって、例えば二つ折り財布１２０と同様に、表２８および表２９に示す大きさを有するのが好ましい。
【０１３６】
さらに、図１９には図示してはいないが、破線を挟んで上側に位置するカード収納ポケットについても、破線の下側に位置するカード収納ポケット１３１と同じく導電体を取り付けるものとする。これにより、これらのポケットに収納された非接触ＩＣカードも起動を阻止される。また、上側の紙幣用ポケット内には、通信用ポケットは設けない。
【０１３７】
以上、本発明の好適な実施形態について説明したが、本発明はこれらの実施形態に限定されることなく、様々に実現することができる。例えば、導電体としては例えばアルミ箔や銅を用いることができるが、無論これに限らず他の導電体を用いることも可能である。同様に、磁性体としてはフェライトをはじめ様々な磁性体を用いることが可能である。
【０１３８】
また、各実験および実施例に用いた導電体はすべて方形としたが、実際には変形可能である。例えば、対向する２辺をやや撓めた形状にしたりすることもできる。さらに、各カード収納具の形態についても、実施例として示したものに限定されることはなく、適宜変更することが可能であることは言うまでもない。
【図面の簡単な説明】
【０１３９】
【図１】本発明による非接触ＩＣカード収納具を示す概略図であって、（ａ）はパスケース、（ｂ）は二つ折り財布、（ｃ）は長財布をそれぞれ示す図。
【図２】（ａ）および（ｂ）は非接触ＩＣカードの内蔵アンテナ形状を説明する概略図。
【図３】実験１および実験７−１について説明する図であって、（ａ）は側面図、（ｂ）は上面図。
【図４】実験２および実験７−２について説明する図であって、（ａ）は側面図、（ｂ）は上面図。
【図５】実験３について説明する図であって、（ａ）は側面図、（ｂ）は上面図。
【図６】実験４−１および実験４−２について説明する図であって、（ａ）および（ｃ）は側面図、（ｂ）および（ｄ）は上面図。
【図７】実験５−１および実験５−２について説明する図であって、（ａ）および（ｃ）は側面図、（ｂ）および（ｄ）は上面図。
【図８】実験６について説明する図であって、（ａ）は側面図、（ｂ）は上面図。
【図９】本発明によるパスケースの構造を説明する概略断面図。
【図１０】実験８について説明する図であって、（ａ）は側面図、（ｂ）〜（ｄ）は上面図。
【図１１】実験９について説明する図であって、（ａ）は側面図、（ｂ）〜（ｄ）は上面図。
【図１２】（ａ）および（ｂ）は本発明による二つ折り財布を説明する概略図。
【図１３】（ａ）および（ｂ）は本発明による二つ折り財布を説明する概略図。
【図１４】本発明による二つ折り財布を説明する概略図。
【図１５】本発明の変形例を説明する概略図。
【図１６】実験１０について説明する図であって、（ａ）は側面図、（ｂ）は上面図。
【図１７】（ａ）および（ｂ）は実験１０について説明する図。
【図１８】実験１１について説明する図であって、（ａ）は側面図、（ｂ）は上面図。
【図１９】本発明による長財布を説明する概略図。
【符号の説明】
【０１４０】
１０１  パスケース
１０２  二つ折り財布
１０３  長財布
２０  導電体
３０  カードリーダ
４０  磁性体
７０１，７０２  非接触ＩＣカード
【図１】
2010020636.tif 000047
【図２】
2010020636.tif 000048
【図３】
2010020636.tif 000049
【図４】
2010020636.tif 000050
【図５】
2010020636.tif 000051
【図６】
2010020636.tif 000052
【図７】
2010020636.tif 000053
【図８】
2010020636.tif 000054
【図９】
2010020636.tif 000055
【図１０】
2010020636.tif 000056
【図１１】
2010020636.tif 000057
【図１２】
2010020636.tif 000058
【図１３】
2010020636.tif 000059
【図１４】
2010020636.tif 000060
【図１５】
2010020636.tif 000061
【図１６】
2010020636.tif 000062
【図１７】
2010020636.tif 000063
【図１８】
2010020636.tif 000064
【図１９】
2010020636.tif 000065
【手続補正書】
【提出日】平成21年4月28日(2009.4.28)
【手続補正１】
【補正対象書類名】特許請求の範囲
【補正対象項目名】全文
【補正方法】変更
【補正の内容】
【特許請求の範囲】
【請求項１】
ＩＣチップおよび非方形のアンテナを内蔵したＩＳＯ／ＩＥＣ１８０９２準拠の非接触ＩＣカードを２枚収納することのできるパスケースであって、
第１の非接触ＩＣカードを収納するための第１収納部と、
前記第１収納部と表裏一体に形成された、第２の非接触ＩＣカードを収納するための第２収納部と、
横Ｘ１、縦Ｙ１の大きさを有する方形の導電体と、
前記導電体と各辺を合わせて重畳し、横Ｘ１、縦Ｙ１の大きさを有する磁性体とを備え、
前記第１の非接触ＩＣカードと、前記導電体および前記磁性体と、前記第２の非接触ＩＣカードとは、前記第１の非接触ＩＣカードと前記導電体との間および前記磁性体と前記第２の非接触ＩＣカードとの間がそれぞれ離隔し、前記導電体および前記磁性体の長手方向と前記第１および第２の非接触ＩＣカードの長手方向とが同一となり、且つ前記導電体および前記磁性体の中心点が前記第１および前記第２の非接触ＩＣカードの中心点と重なるように配置され、
前記第１収納部または前記第２収納部のいずれかの側から強度７．５乃至１０Ａ／ｍ（実効値）の磁界を印加されたとき、前記第１の非接触ＩＣカードは起動されず、前記第２の非接触ＩＣカードのみが起動されて通信可能となり、
前記Ｘ１およびＹ１は表１に示す値をとることを特徴とするパスケース。
【表１】
2010020636.tif 000066
【請求項２】
ＩＣチップおよび非方形のアンテナを内蔵したＩＳＯ／ＩＥＣ１８０９２準拠の非接触ＩＣカードを２枚収納することのできるパスケースであって、
第１の非接触ＩＣカードを収納するための第１収納部と、
前記第１収納部と表裏一体に形成された、第２の非接触ＩＣカードを収納するための第２収納部と、
横Ｘ２、縦Ｙ２の大きさを有する方形の導電体と、
前記導電体と各辺を合わせて重畳し、横Ｘ２、縦Ｙ２の大きさを有する磁性体とを備え、
前記第１の非接触ＩＣカードと、前記導電体および前記磁性体と、前記第２の非接触ＩＣカードとは、前記第１の非接触ＩＣカードと前記導電体との間および前記磁性体と前記第２の非接触ＩＣカードとの間がそれぞれ離隔し、前記導電体および前記磁性体の長手方向と前記第１および第２の非接触ＩＣカードの長手方向とが同一となり、且つ前記導電体および前記磁性体の隣り合う２辺が前記第１および第２の非接触ＩＣカードの対応する２辺と揃うように配置され、
前記第１収納部または前記第２収納部のいずれかの側から強度７．５乃至１０Ａ／ｍ（実効値）の磁界を印加されたとき、前記第１の非接触ＩＣカードは起動されず、前記第２の非接触ＩＣカードのみが起動されて通信可能となり、
前記Ｘ２およびＹ２は表２に示す値をとることを特徴とするパスケース。
【表２】
2010020636.tif 000067
【請求項３】
請求項１または２に記載のパスケースにおいて、
前記導電体は圧延した箔状の金属体であることを特徴とするパスケース。
【請求項４】
ＩＣチップおよび非方形のアンテナを内蔵したＩＳＯ／ＩＥＣ１８０９２準拠の非接触ＩＣカードを複数収納することのできる長方形の二つ折り財布であって、相対的に長い一辺に紙幣出し入れ口が設けられており、
複数の第１の非接触ＩＣカードを１枚ずつ収納するための複数の第１収納部と、
１枚の第２の非接触ＩＣカードを収納するための１つの第２収納部と、
前記複数の第１収納部の各々に取り付けられた導電体とを備え、
前記第１収納部は、相対的に長い一辺を前記第１の非接触ＩＣカードを出し入れするための第１カード出し入れ口とし、前記財布を二つ折りしたときの内側面に、前記各第１カード出し入れ口と前記紙幣出し入れ口とが同一または直交する向きになるよう段階的にずらして１列に設けられ、
前記第２収納部は、相対的に長い一辺または短い一辺のいずれかを前記第２の非接触ＩＣカードを出し入れするための第２カード出し入れ口とし、前記財布を二つ折りしたときの内側面に、前記第２カード出し入れ口と前記紙幣出し入れ口とが同一方向になるように、前記第１収納部とは独立して設けられ、
前記導電体と前記第２の非接触ＩＣカードとは、互いの表面間が１ｍｍ以上離隔し、前記導電体が前記第２の非接触ＩＣカードの一部と重畳するように配置され、
前記第２収納部は、二つ折り時の前記二つ折り財布の厚さＴが３０ｍｍ以下であるとき、前記Ｔの値に応じて、前記第２の非接触ＩＣカードの短手方向の一辺と前記導電体の対応する一辺との間の距離Ｄ１ａと、前記第２の非接触ＩＣカードの長手方向の一辺と前記導電体の対応する一辺との間の距離Ｄ２ａと、前記第２の非接触ＩＣカードの一角と前記導電体の対応する一角との間の距離Ｄ３ａとのうちいずれかが表３に示す値以上の値をとるように配置され、
強度７．５Ａ／ｍ（実効値）の磁界を印加されたとき、前記複数の第１の非接触ＩＣカードはいずれも起動されず、前記第２の非接触ＩＣカードのみが起動されて通信可能となることを特徴とする二つ折り財布。
【表３】
2010020636.tif 000068
【請求項５】
ＩＣチップおよび非方形のアンテナを内蔵したＩＳＯ／ＩＥＣ１８０９２準拠の非接触ＩＣカードを複数収納することのできる長方形の二つ折り財布であって、相対的に長い一辺に紙幣出し入れ口が設けられており、
複数の第１の非接触ＩＣカードを１枚ずつ収納するための複数の第１収納部と、
１枚の第２の非接触ＩＣカードを収納するための１つの第２収納部と、
前記複数の第１収納部の各々に取り付けられた導電体とを備え、
前記第１収納部は、相対的に長い一辺を前記第１の非接触ＩＣカードを出し入れするための第１カード出し入れ口とし、前記財布を二つ折りしたときの内側面に、前記各第１カード出し入れ口と前記紙幣出し入れ口とが同一または直交する向きになるよう段階的にずらして１列に設けられ、
前記第２収納部は、相対的に長い一辺または短い一辺のいずれかを前記第２の非接触ＩＣカードを出し入れするための第２カード出し入れ口とし、前記財布を二つ折りしたときの内側面に、前記第２カード出し入れ口と前記紙幣出し入れ口とが同一方向になるように、前記第１収納部とは独立して設けられ、
前記導電体と前記第２の非接触ＩＣカードとは、互いの表面間が１ｍｍ以上離隔し、前記導電体が前記第２の非接触ＩＣカードの一部と重畳するように配置され、
前記第２収納部は、二つ折り時の前記二つ折り財布の厚さＴが３０ｍｍ以下であるとき、前記Ｔの値に応じて、前記第２の非接触ＩＣカードの短手方向の一辺と前記導電体の対応する一辺との間の距離Ｄ１ｂと、前記第２の非接触ＩＣカードの長手方向の一辺と前記導電体の対応する一辺との間の距離Ｄ２ｂと、前記第２の非接触ＩＣカードの一角と前記導電体の対応する一角との間の距離Ｄ３ｂとのうちいずれかが表４に示す値以上の値をとるように配置され、
強度１０Ａ／ｍ（実効値）の磁界を印加されたとき、前記複数の第１の非接触ＩＣカードはいずれも起動されず、前記第２の非接触ＩＣカードのみが起動されて通信可能となることを特徴とする二つ折り財布。
【表４】
2010020636.tif 000069
【請求項６】
ＩＣチップおよび非方形のアンテナを内蔵したＩＳＯ／ＩＥＣ１８０９２準拠の非接触ＩＣカードを複数収納することのできる長方形の二つ折り財布であって、相対的に長い一辺に紙幣出し入れ口が設けられており、
複数の第１の非接触ＩＣカードを１枚ずつ収納するための、各々方形の導電体を取り付けられた複数の第１収納部と、
１枚の第２の非接触ＩＣカードを収納するための、前記第２の非接触ＩＣカードと同一の大きさを有し厚さ０．１ｍｍ以上で比透磁率２０以上または厚さ０．０５ｍｍ以上で比透磁率４０以上の方形の磁性体を取り付けられた１つの第２収納部とを備え、
前記第１収納部は、相対的に長い一辺を前記第１の非接触ＩＣカードを出し入れするための第１カード出し入れ口とし、前記財布を二つ折りしたときの内側面に、前記各第１カード出し入れ口と前記紙幣出し入れ口とが同一または直交する向きになるよう段階的にずらして１列に設けられ、
前記第２収納部は、相対的に長い一辺または短い一辺のいずれかを前記第２の非接触ＩＣカードを出し入れするための第２カード出し入れ口とし、前記財布を二つ折りしたときの内側面に、前記第２カード出し入れ口と前記紙幣出し入れ口とが同一方向になるように、前記第１収納部とは独立して設けられ、
前記導電体と前記第２の非接触ＩＣカードとは、互いの表面間が１ｍｍ以上離隔し、前記導電体が前記第２の非接触ＩＣカードの一部と重畳するように配置され、
前記第２収納部は、二つ折り時の前記二つ折り財布の厚さＴが３０ｍｍ以下であるとき、前記Ｔの値に応じて、前記第２の非接触ＩＣカードの短手方向の一辺と前記導電体の対応する一辺との間の距離Ｄ１ｃと、前記第２の非接触ＩＣカードの長手方向の一辺と前記導電体の対応する一辺との間の距離Ｄ２ｃと、前記第２の非接触ＩＣカードの一角と前記導電体の対応する一角との間の距離Ｄ３ｃとのうちいずれかが表５に示す値以上の値をとるように配置され、
強度７．５Ａ／ｍ（実効値）の磁界を印加されたとき、前記複数の第１の非接触ＩＣカードはいずれも起動されず、前記第２の非接触ＩＣカードのみが起動されて通信可能となることを特徴とする二つ折り財布。
【表５】
2010020636.tif 000070
【請求項７】
ＩＣチップおよび非方形のアンテナを内蔵したＩＳＯ／ＩＥＣ１８０９２準拠の非接触ＩＣカードを複数収納することのできる長方形の二つ折り財布であって、相対的に長い一辺に紙幣出し入れ口が設けられており、
複数の第１の非接触ＩＣカードを１枚ずつ収納するための、各々方形の導電体を取り付けられた複数の第１収納部と、
１枚の第２の非接触ＩＣカードを収納するための、前記第２の非接触ＩＣカードと同一の大きさを有し厚さ０．１ｍｍ以上で比透磁率２０以上または厚さ０．０５ｍｍ以上で比透磁率４０以上の方形の磁性体を取り付けられた１つの第２収納部とを備え、
前記第１収納部は、相対的に長い一辺を前記第１の非接触ＩＣカードを出し入れするための第１カード出し入れ口とし、前記財布を二つ折りしたときの内側面に、前記各第１カード出し入れ口と前記紙幣出し入れ口とが同一または直交する向きになるよう段階的にずらして１列に設けられ、
前記第２収納部は、相対的に長い一辺または短い一辺のいずれかを前記第２の非接触ＩＣカードを出し入れするための第２カード出し入れ口とし、前記財布を二つ折りしたときの内側面に、前記第２カード出し入れ口と前記紙幣出し入れ口とが同一方向になるように、前記第１収納部とは独立して設けられ、
前記導電体と前記第２の非接触ＩＣカードとは、互いの表面間が１ｍｍ以上離隔し、前記導電体が前記第２の非接触ＩＣカードの一部と重畳するように配置され、
前記第２収納部は、二つ折り時の前記二つ折り財布の厚さＴが３０ｍｍ以下であるとき、前記Ｔの値に応じて、前記第２の非接触ＩＣカードの短手方向の一辺と前記導電体の対応する一辺との間の距離Ｄ１ｄと、前記第２の非接触ＩＣカードの長手方向の一辺と前記導電体の対応する一辺との間の距離Ｄ２ｄと、前記第２の非接触ＩＣカードの一角と前記導電体の対応する一角との間の距離Ｄ３ｄとのうちいずれかが表６に示す値以上の値をとるように配置され、
強度１０Ａ／ｍ（実効値）の磁界を印加されたとき、前記複数の第１の非接触ＩＣカードはいずれも起動されず、前記第２の非接触ＩＣカードのみが起動されて通信可能となることを特徴とする二つ折り財布。
【表６】
2010020636.tif 000071
【請求項８】
ＩＣチップおよび非方形のアンテナを内蔵したＩＳＯ／ＩＥＣ１８０９２準拠の非接触ＩＣカードを複数収納することのできる長方形の二つ折り財布であって、相対的に長い一辺に紙幣出し入れ口が設けられており、
前記財布の内側面には、各々相対的に長い一辺を前記非接触ＩＣカードを出し入れするためのカード出し入れ口とし、前記各カード出し入れ口と前記紙幣出し入れ口とが同一の向きになるよう段階的にずらして１列に設けられた、それぞれ１枚の非接触ＩＣカードを収納するための複数の収納部を備え、
前記複数の収納部のうちいずれか１つの前記収納部には、前記非接触ＩＣカードと同一の大きさを有し厚さ０．１ｍｍ以上で比透磁率２０以上または厚さ０．０５ｍｍ以上で比透磁率４０以上の方形の磁性体が取り付けられ、前記複数の収納部のうち別の１つまたは２つの収納部には、各々方形の導電体が取り付けられ、
前記導電体と前記磁性体が取り付けられた収納部に収納された非接触ＩＣカードとは、互いの表面間が１ｍｍ以上離隔し、前記導電体が前記収納された非接触ＩＣカードの一部と重畳し、且つ、二つ折り時の前記二つ折り財布の厚さＴが３０ｍｍ以下であるとき、前記Ｔの値に応じて、前記収納された非接触ＩＣカードの短手方向の一辺と前記導電体の対応する一辺との間の距離Ｄ１ｃと、前記収納された非接触ＩＣカードの長手方向の一辺と前記導電体の対応する一辺との間の距離Ｄ２ｃと、前記収納された非接触ＩＣカードの一角と前記導電体の対応する一角との間の距離Ｄ３ｃとのうちいずれかが表７に示す値以上の値をとるように配置され、
強度７．５Ａ／ｍ（実効値）の磁界を印加されたとき、前記磁性体が取り付けられた収納部に収納された１枚の非接触ＩＣカードのみが起動されて通信可能となり、前記導電体が取り付けられた収納部に収納された非接触ＩＣカードはいずれも起動されないことを特徴とする二つ折り財布。
【表７】
2010020636.tif 000072
【請求項９】
ＩＣチップおよび非方形のアンテナを内蔵したＩＳＯ／ＩＥＣ１８０９２準拠の非接触ＩＣカードを複数収納することのできる長方形の二つ折り財布であって、相対的に長い一辺に紙幣出し入れ口が設けられており、
前記財布の内側面には、各々相対的に長い一辺を前記非接触ＩＣカードを出し入れするためのカード出し入れ口とし、前記各カード出し入れ口と前記紙幣出し入れ口とが同一の向きになるよう段階的にずらして１列に設けられた、それぞれ１枚の非接触ＩＣカードを収納するための複数の収納部を備え、
前記複数の収納部のうちいずれか１つの前記収納部には、前記非接触ＩＣカードと同一の大きさを有し厚さ０．１ｍｍ以上で比透磁率２０以上または厚さ０．０５ｍｍ以上で比透磁率４０以上の方形の磁性体が取り付けられ、前記複数の収納部のうち別の１つまたは２つの収納部には、各々方形の導電体が取り付けられ、
前記導電体と前記磁性体が取り付けられた収納部に収納された非接触ＩＣカードとは、互いの表面間が１ｍｍ以上離隔し、前記導電体が前記収納された非接触ＩＣカードの一部と重畳し、且つ、二つ折り時の前記二つ折り財布の厚さＴが３０ｍｍ以下であるとき、前記Ｔの値に応じて、前記収納された非接触ＩＣカードの短手方向の一辺と前記導電体の対応する一辺との間の距離Ｄ１ｄと、前記収納された非接触ＩＣカードの長手方向の一辺と前記導電体の対応する一辺との間の距離Ｄ２ｄと、前記収納された非接触ＩＣカードの一角と前記導電体の対応する一角との間の距離Ｄ３ｄとのうちいずれかが表８に示す値以上の値をとるように配置され、
強度１０Ａ／ｍ（実効値）の磁界を印加されたとき、前記磁性体が取り付けられた収納部に収納された１枚の非接触ＩＣカードのみが起動されて通信可能となり、前記導電体が取り付けられた収納部に収納された非接触ＩＣカードはいずれも起動されないことを特徴とする二つ折り財布。
【表８】
2010020636.tif 000073
【請求項１０】
請求項４乃９のいずれかに記載の二つ折り財布において、
前記導電体は圧延した箔状の金属体であることを特徴とする二つ折り財布。
【請求項１１】
ＩＣチップおよび非方形のアンテナを内蔵したＩＳＯ／ＩＥＣ１８０９２準拠の非接触ＩＣカードを複数収納することのできる長方形の二つ折りカードケースであって、相対的に長い一辺に紙幣出し入れ口が設けられており、
複数の第１の非接触ＩＣカードを１枚ずつ収納するための複数の第１収納部と、
１枚の第２の非接触ＩＣカードを収納するための１つの第２収納部と、
前記複数の第１収納部の各々に取り付けられた導電体とを備え、
前記第１収納部は、相対的に長い一辺を前記第１の非接触ＩＣカードを出し入れするための第１カード出し入れ口とし、前記カードケースを二つ折りしたときの内側面に、前記各第１カード出し入れ口と前記紙幣出し入れ口とが同一または直交する向きになるよう段階的にずらして１列に設けられ、
前記第２収納部は、相対的に長い一辺または短い一辺のいずれかを前記第２の非接触ＩＣカードを出し入れするための第２カード出し入れ口とし、前記カードケースを二つ折りしたときの内側面に、前記第２カード出し入れ口と前記紙幣出し入れ口とが同一方向になるように、前記第１収納部とは独立して設けられ、
前記導電体と前記第２の非接触ＩＣカードとは、互いの表面間が１ｍｍ以上離隔し、前記導電体が前記第２の非接触ＩＣカードの一部と重畳するように配置され、
前記第２収納部は、二つ折り時の前記二つ折りカードケースの厚さＴが３０ｍｍ以下であるとき、前記Ｔの値に応じて、前記第２の非接触ＩＣカードの短手方向の一辺と前記導電体の対応する一辺との間の距離Ｄ１ａと、前記第２の非接触ＩＣカードの長手方向の一辺と前記導電体の対応する一辺との間の距離Ｄ２ａと、前記第２の非接触ＩＣカードの一角と前記導電体の対応する一角との間の距離Ｄ３ａとのうちいずれかが表９に示す値以上の値をとるように配置され、
強度７．５Ａ／ｍ（実効値）の磁界を印加されたとき、前記複数の第１の非接触ＩＣカードはいずれも起動されず、前記第２の非接触ＩＣカードのみが起動されて通信可能となることを特徴とする二つ折りカードケース。
【表９】
2010020636.tif 000074
【請求項１２】
ＩＣチップおよび非方形のアンテナを内蔵したＩＳＯ／ＩＥＣ１８０９２準拠の非接触ＩＣカードを複数収納することのできる長方形の二つ折りカードケースであって、相対的に長い一辺に紙幣出し入れ口が設けられており、
複数の第１の非接触ＩＣカードを１枚ずつ収納するための複数の第１収納部と、
１枚の第２の非接触ＩＣカードを収納するための１つの第２収納部と、
前記複数の第１収納部の各々に取り付けられた導電体とを備え、
前記第１収納部は、相対的に長い一辺を前記第１の非接触ＩＣカードを出し入れするための第１カード出し入れ口とし、前記カードケースを二つ折りしたときの内側面に、前記各第１カード出し入れ口と前記紙幣出し入れ口とが同一または直交する向きになるよう段階的にずらして１列に設けられ、
前記第２収納部は、相対的に長い一辺または短い一辺のいずれかを前記第２の非接触ＩＣカードを出し入れするための第２カード出し入れ口とし、前記カードケースを二つ折りしたときの内側面に、前記第２カード出し入れ口と前記紙幣出し入れ口とが同一方向になるように、前記第１収納部とは独立して設けられ、
前記導電体と前記第２の非接触ＩＣカードとは、互いの表面間が１ｍｍ以上離隔し、前記導電体が前記第２の非接触ＩＣカードの一部と重畳するように配置され、
前記第２収納部は、二つ折り時の前記二つ折りカードケースの厚さＴが３０ｍｍ以下であるとき、前記Ｔの値に応じて、前記第２の非接触ＩＣカードの短手方向の一辺と前記導電体の対応する一辺との間の距離Ｄ１ｂと、前記第２の非接触ＩＣカードの長手方向の一辺と前記導電体の対応する一辺との間の距離Ｄ２ｂと、前記第２の非接触ＩＣカードの一角と前記導電体の対応する一角との間の距離Ｄ３ｂとのうちいずれかが表１０に示す値以上の値をとるように配置され、
強度１０Ａ／ｍ（実効値）の磁界を印加されたとき、前記複数の第１の非接触ＩＣカードはいずれも起動されず、前記第２の非接触ＩＣカードのみが起動されて通信可能となることを特徴とする二つ折りカードケース。
【表１０】
2010020636.tif 000075
【請求項１３】
ＩＣチップおよび非方形のアンテナを内蔵したＩＳＯ／ＩＥＣ１８０９２準拠の非接触ＩＣカードを複数収納することのできる長方形の二つ折りカードケースであって、相対的に長い一辺に紙幣出し入れ口が設けられており、
複数の第１の非接触ＩＣカードを１枚ずつ収納するための、各々方形の導電体を取り付けられた複数の第１収納部と、
１枚の第２の非接触ＩＣカードを収納するための、前記第２の非接触ＩＣカードと同一の大きさを有し厚さ０．１ｍｍ以上で比透磁率２０以上または厚さ０．０５ｍｍ以上で比透磁率４０以上の方形の磁性体を取り付けられた１つの第２収納部とを備え、
前記第１収納部は、相対的に長い一辺を前記第１の非接触ＩＣカードを出し入れするための第１カード出し入れ口とし、前記カードケースを二つ折りしたときの内側面に、前記各第１カード出し入れ口と前記紙幣出し入れ口とが同一または直交する向きになるよう段階的にずらして１列に設けられ、
前記第２収納部は、相対的に長い一辺または短い一辺のいずれかを前記第２の非接触ＩＣカードを出し入れするための第２カード出し入れ口とし、前記カードケースを二つ折りしたときの内側面に、前記第２カード出し入れ口と前記紙幣出し入れ口とが同一方向になるように、前記第１収納部とは独立して設けられ、
前記導電体と前記第２の非接触ＩＣカードとは、互いの表面間が１ｍｍ以上離隔し、前記導電体が前記第２の非接触ＩＣカードの一部と重畳するように配置され、
前記第２収納部は、二つ折り時の前記二つ折りカードケースの厚さＴが３０ｍｍ以下であるとき、前記Ｔの値に応じて、前記第２の非接触ＩＣカードの短手方向の一辺と前記導電体の対応する一辺との間の距離Ｄ１ｃと、前記第２の非接触ＩＣカードの長手方向の一辺と前記導電体の対応する一辺との間の距離Ｄ２ｃと、前記第２の非接触ＩＣカードの一角と前記導電体の対応する一角との間の距離Ｄ３ｃとのうちいずれかが表１１に示す値以上の値をとるように配置され、
強度７．５Ａ／ｍ（実効値）の磁界を印加されたとき、前記複数の第１の非接触ＩＣカードはいずれも起動されず、前記第２の非接触ＩＣカードのみが起動されて通信可能となることを特徴とする二つ折りカードケース。
【表１１】
2010020636.tif 000076
【請求項１４】
ＩＣチップおよび非方形のアンテナを内蔵したＩＳＯ／ＩＥＣ１８０９２準拠の非接触ＩＣカードを複数収納することのできる長方形の二つ折りカードケースであって、相対的に長い一辺に紙幣出し入れ口が設けられており、
複数の第１の非接触ＩＣカードを１枚ずつ収納するための、各々方形の導電体を取り付けられた複数の第１収納部と、
１枚の第２の非接触ＩＣカードを収納するための、前記第２の非接触ＩＣカードと同一の大きさを有し厚さ０．１ｍｍ以上で比透磁率２０以上または厚さ０．０５ｍｍ以上で比透磁率４０以上の方形の磁性体を取り付けられた１つの第２収納部とを備え、
前記第１収納部は、相対的に長い一辺を前記第１の非接触ＩＣカードを出し入れするための第１カード出し入れ口とし、前記カードケースを二つ折りしたときの内側面に、前記各第１カード出し入れ口と前記紙幣出し入れ口とが同一または直交する向きになるよう段階的にずらして１列に設けられ、
前記第２収納部は、相対的に長い一辺または短い一辺のいずれかを前記第２の非接触ＩＣカードを出し入れするための第２カード出し入れ口とし、前記カードケースを二つ折りしたときの内側面に、前記第２カード出し入れ口と前記紙幣出し入れ口とが同一方向になるように、前記第１収納部とは独立して設けられ、
前記導電体と前記第２の非接触ＩＣカードとは、互いの表面間が１ｍｍ以上離隔し、前記導電体が前記第２の非接触ＩＣカードの一部と重畳するように配置され、
前記第２収納部は、二つ折り時の前記二つ折りカードケースの厚さＴが３０ｍｍ以下であるとき、前記Ｔの値に応じて、前記第２の非接触ＩＣカードの短手方向の一辺と前記導電体の対応する一辺との間の距離Ｄ１ｄと、前記第２の非接触ＩＣカードの長手方向の一辺と前記導電体の対応する一辺との間の距離Ｄ２ｄと、前記第２の非接触ＩＣカードの一角と前記導電体の対応する一角との間の距離Ｄ３ｄとのうちいずれかが表１２に示す値以上の値をとるように配置され、
強度１０Ａ／ｍ（実効値）の磁界を印加されたとき、前記複数の第１の非接触ＩＣカードはいずれも起動されず、前記第２の非接触ＩＣカードのみが起動されて通信可能となることを特徴とする二つ折りカードケース。
【表１２】
2010020636.tif 000077
【請求項１５】
ＩＣチップおよび非方形のアンテナを内蔵したＩＳＯ／ＩＥＣ１８０９２準拠の非接触ＩＣカードを複数収納することのできる長方形の二つ折りカードケースであって、相対的に長い一辺に紙幣出し入れ口が設けられており、
前記カードケースの内側面には、各々相対的に長い一辺を前記非接触ＩＣカードを出し入れするためのカード出し入れ口とし、前記各カード出し入れ口と前記紙幣出し入れ口とが同一の向きになるよう段階的にずらして１列に設けられた、それぞれ１枚の非接触ＩＣカードを収納するための複数の収納部を備え、
前記複数の収納部のうちいずれか１つの前記収納部には、前記非接触ＩＣカードと同一の大きさを有し厚さ０．１ｍｍ以上で比透磁率２０以上または厚さ０．０５ｍｍ以上で比透磁率４０以上の方形の磁性体が取り付けられ、前記複数の収納部のうち別の１つまたは２つの収納部には、各々方形の導電体が取り付けられ、
前記導電体と前記磁性体が取り付けられた収納部に収納された非接触ＩＣカードとは、互いの表面間が１ｍｍ以上離隔し、前記導電体が前記収納された非接触ＩＣカードの一部と重畳し、且つ、二つ折り時の前記二つ折りカードケースの厚さＴが３０ｍｍ以下であるとき、前記Ｔの値に応じて、前記収納された非接触ＩＣカードの短手方向の一辺と前記導電体の対応する一辺との間の距離Ｄ１ｃと、前記収納された非接触ＩＣカードの長手方向の一辺と前記導電体の対応する一辺との間の距離Ｄ２ｃと、前記収納された非接触ＩＣカードの一角と前記導電体の対応する一角との間の距離Ｄ３ｃとのうちいずれかが表１３に示す値以上の値をとるように配置され、
強度７．５Ａ／ｍ（実効値）の磁界を印加されたとき、前記磁性体が取り付けられた収納部に収納された１枚の非接触ＩＣカードのみが起動されて通信可能となり、前記導電体が取り付けられた収納部に収納された非接触ＩＣカードはいずれも起動されないことを特徴とする二つ折りカードケース。
【表１３】
2010020636.tif 000078
【請求項１６】
ＩＣチップおよび非方形のアンテナを内蔵したＩＳＯ／ＩＥＣ１８０９２準拠の非接触ＩＣカードを複数収納することのできる長方形の二つ折りカードケースであって、相対的に長い一辺に紙幣出し入れ口が設けられており、
前記カードケースの内側面には、各々相対的に長い一辺を前記非接触ＩＣカードを出し入れするためのカード出し入れ口とし、前記各カード出し入れ口と前記紙幣出し入れ口とが同一の向きになるよう段階的にずらして１列に設けられた、それぞれ１枚の非接触ＩＣカードを収納するための複数の収納部を備え、
前記複数の収納部のうちいずれか１つの前記収納部には、前記非接触ＩＣカードと同一の大きさを有し厚さ０．１ｍｍ以上で比透磁率２０以上または厚さ０．０５ｍｍ以上で比透磁率４０以上の方形の磁性体が取り付けられ、前記複数の収納部のうち別の１つまたは２つの収納部には、各々方形の導電体が取り付けられ、
前記導電体と前記磁性体が取り付けられた収納部に収納された非接触ＩＣカードとは、互いの表面間が１ｍｍ以上離隔し、前記導電体が前記収納された非接触ＩＣカードの一部と重畳し、且つ、二つ折り時の前記二つ折りカードケースの厚さＴが３０ｍｍ以下であるとき、前記Ｔの値に応じて、前記収納された非接触ＩＣカードの短手方向の一辺と前記導電体の対応する一辺との間の距離Ｄ１ｄと、前記収納された非接触ＩＣカードの長手方向の一辺と前記導電体の対応する一辺との間の距離Ｄ２ｄと、前記収納された非接触ＩＣカードの一角と前記導電体の対応する一角との間の距離Ｄ３ｄとのうちいずれかが表１４に示す値以上の値をとるように配置され、
強度１０Ａ／ｍ（実効値）の磁界を印加されたとき、前記磁性体が取り付けられた収納部に収納された１枚の非接触ＩＣカードのみが起動されて通信可能となり、前記導電体が取り付けられた収納部に収納された非接触ＩＣカードはいずれも起動されないことを特徴とする二つ折りカードケース。
【表１４】
2010020636.tif 000079
【請求項１７】
請求項１１乃至１６のいずれかに記載の二つ折りカードケースにおいて、
前記導電体は圧延した箔状の金属体であることを特徴とする二つ折りカードケース。
【請求項１８】
ＩＣチップおよび非方形のアンテナを内蔵したＩＳＯ／ＩＥＣ１８０９２準拠の非接触ＩＣカードを複数収納することのできる長財布であって、略正方形の収納体を中心線に沿って谷折りしてなり、
前記中心線に平行に、前記中心線に向かって開口するよう設けられた紙幣出し入れ口と、
複数の第１の非接触ＩＣカードを１枚ずつ収納するための、各々方形の導電体を取り付けられた複数の第１収納部と、
１枚の第２の非接触ＩＣカードを収納するための１つの第２収納部とを備え、
前記第１収納部は、相対的に長い一辺を前記第１の非接触ＩＣカードを出し入れするための第１カード出し入れ口とし、前記長財布の内側面に、前記各第１カード出し入れ口と前記紙幣出し入れ口とが同一の向きになるよう、２列にわたって段階的にずらして設けられ、
前記第２収納部は、相対的に長い一辺または短い一辺のいずれかを前記第２の非接触ＩＣカードを出し入れするための第２カード出し入れ口とし、前記長財布の前記内側面の中央に、前記中心線を避けて、前記第２カード出し入れ口と前記紙幣出し入れ口とが同一方向になるように、前記第１収納部とは独立して設けられ、
前記第１収納部に取り付けられた前記導電体は、前記第１収納部の各列の間で、前記第２収納部が前記相対的に長い一辺を前記第２カード出し入れ口とする場合には２ｍｍ以上離隔し、前記相対的に短い一辺を前記第２カード出し入れ口とする場合には６．５ｍｍ以上離隔するよう配置され、
強度７．５乃至１０Ａ／ｍ（実効値）の磁界を印加されたとき、前記複数の第１の非接触ＩＣカードはいずれも起動されず、前記第２の非接触ＩＣカードのみが起動されて通信可能となることを特徴とする長財布。
【請求項１９】
請求項１８に記載の長財布において、
前記導電体は圧延した箔状の金属体であることを特徴とする長財布。
【手続補正２】
【補正対象書類名】明細書
【補正対象項目名】０００８
【補正方法】変更
【補正の内容】
【０００８】
前述した課題を解決するために本発明が提供するのは、ＩＣチップおよび非方形のアンテナを内蔵したＩＳＯ／ＩＥＣ１８０９２準拠の非接触ＩＣカードを２枚収納することのできるパスケースである。このパスケースは、第１の非接触ＩＣカードを収納するための第１収納部と、第１収納部と表裏一体に形成された、第２の非接触ＩＣカードを収納するための第２収納部と、横Ｘ１、縦Ｙ１の大きさを有する方形の導電体と、導電体と各辺を合わせて重畳し、横Ｘ１、縦Ｙ１の大きさを有する磁性体とを備える。第１の非接触ＩＣカードと、導電体および磁性体と、第２の非接触ＩＣカードとは、第１の非接触ＩＣカードと導電体との間および磁性体と第２の非接触ＩＣカードとの間がそれぞれ離隔し、導電体および磁性体の長手方向と第１および第２の非接触ＩＣカードの長手方向とが同一となり、且つ導電体および磁性体の中心点が第１および第２の非接触ＩＣカードの中心点と重なるように配置され、第１収納部または第２収納部のいずれかの側から強度７．５乃至１０Ａ／ｍ（実効値）の磁界を印加されたとき、第１の非接触ＩＣカードは起動されず、第２の非接触ＩＣカードのみが起動されて通信可能となる。ここで、Ｘ１およびＹ１は表１に示す値をとる。
【手続補正３】
【補正対象書類名】明細書
【補正対象項目名】００１０
【補正方法】変更
【補正の内容】
【００１０】
また、本発明が提供するのは、ＩＣチップおよび非方形のアンテナを内蔵したＩＳＯ／ＩＥＣ１８０９２準拠の非接触ＩＣカードを２枚収納することのできるパスケースである。このパスケースは、第１の非接触ＩＣカードを収納するための第１収納部と、第１収納部と表裏一体に形成された、第２の非接触ＩＣカードを収納するための第２収納部と、横Ｘ２、縦Ｙ２の大きさを有する方形の導電体と、導電体と各辺を合わせて重畳し、横Ｘ２、縦Ｙ２の大きさを有する磁性体とを備える。第１の非接触ＩＣカードと、導電体および磁性体と、第２の非接触ＩＣカードとは、第１の非接触ＩＣカードと導電体との間および磁性体と第２の非接触ＩＣカードとの間がそれぞれ離隔し、導電体および磁性体の長手方向と第１および第２の非接触ＩＣカードの長手方向とが同一となり、且つ導電体および磁性体の隣り合う２辺が第１および第２の非接触ＩＣカードの対応する２辺と揃うように配置される。第１収納部または第２収納部のいずれかの側から強度７．５乃至１０Ａ／ｍ（実効値）の磁界を印加されたとき、第１の非接触ＩＣカードは起動されず、第２の非接触ＩＣカードのみが起動されて通信可能となる。ここで、Ｘ２およびＹ２は表２に示す値をとる。
【手続補正４】
【補正対象書類名】明細書
【補正対象項目名】００１３
【補正方法】変更
【補正の内容】
【００１３】
本発明がさらに提供するのは、ＩＣチップおよび非方形のアンテナを内蔵したＩＳＯ／ＩＥＣ１８０９２準拠の非接触ＩＣカードを複数収納することのできる長方形の二つ折り財布である。この財布は、相対的に長い一辺に紙幣出し入れ口が設けられており、複数の第１の非接触ＩＣカードを１枚ずつ収納するための複数の第１収納部と、１枚の第２の非接触ＩＣカードを収納するための１つの第２収納部と、複数の第１収納部の各々に取り付けられた導電体とを備える。第１収納部は、相対的に長い一辺を第１の非接触ＩＣカードを出し入れするための第１カード出し入れ口とし、財布を二つ折りしたときの内側面に、各第１カード出し入れ口と紙幣出し入れ口とが同一または直交する向きになるよう段階的にずらして１列に設けられ、第２収納部は、相対的に長い一辺または短い一辺のいずれかを第２の非接触ＩＣカードを出し入れするための第２カード出し入れ口とし、財布を二つ折りしたときの内側面に、第２カード出し入れ口と紙幣出し入れ口とが同一方向になるように、第１収納部とは独立して設けられる。導電体と第２の非接触ＩＣカードとは、互いの表面間が１ｍｍ以上離隔し、導電体が前記第２の非接触ＩＣカードの一部と重畳するように配置され、第２収納部は、二つ折り時の前記二つ折り財布の厚さＴが３０ｍｍ以下であるとき、Ｔの値に応じて、第２の非接触ＩＣカードの短手方向の一辺と導電体の対応する一辺との間の距離Ｄ１ａと、第２の非接触ＩＣカードの長手方向の一辺と導電体の対応する一辺との間の距離Ｄ２ａと、第２の非接触ＩＣカードの一角と導電体の対応する一角との間の距離Ｄ３ａとのうちいずれかが表３に示す値以上の値をとるように配置される。強度７．５Ａ／ｍ（実効値）の磁界を印加されたとき、複数の第１の非接触ＩＣカードはいずれも起動されず、第２の非接触ＩＣカードのみが起動されて通信可能となる。
【手続補正５】
【補正対象書類名】明細書
【補正対象項目名】００１５
【補正方法】変更
【補正の内容】
【００１５】
また、本発明が提供するのは、ＩＣチップおよび非方形のアンテナを内蔵したＩＳＯ／ＩＥＣ１８０９２準拠の非接触ＩＣカードを複数収納することのできる長方形の二つ折り財布である。この二つ折り財布は、相対的に長い一辺に紙幣出し入れ口が設けられており、複数の第１の非接触ＩＣカードを１枚ずつ収納するための複数の第１収納部と、１枚の第２の非接触ＩＣカードを収納するための１つの第２収納部と、複数の第１収納部の各々に取り付けられた導電体とを備える。第１収納部は、相対的に長い一辺を第１の非接触ＩＣカードを出し入れするための第１カード出し入れ口とし、財布を二つ折りしたときの内側面に、各第１カード出し入れ口と紙幣出し入れ口とが同一または直交する向きになるよう段階的にずらして１列に設けられ、第２収納部は、相対的に長い一辺または短い一辺のいずれかを第２の非接触ＩＣカードを出し入れするための第２カード出し入れ口とし、財布を二つ折りしたときの内側面に、第２カード出し入れ口と紙幣出し入れ口とが同一方向になるように、第１収納部とは独立して設けられる。導電体と前記第２の非接触ＩＣカードとは、互いの表面間が１ｍｍ以上離隔し、導電体が第２の非接触ＩＣカードの一部と重畳するように配置され、第２収納部は、二つ折り時の二つ折り財布の厚さＴが３０ｍｍ以下であるとき、Ｔの値に応じて、第２の非接触ＩＣカードの短手方向の一辺と導電体の対応する一辺との間の距離Ｄ１ｂと、第２の非接触ＩＣカードの長手方向の一辺と導電体の対応する一辺との間の距離Ｄ２ｂと、第２の非接触ＩＣカードの一角と導電体の対応する一角との間の距離Ｄ３ｂとのうちいずれかが表４に示す値以上の値をとるように配置される。強度１０Ａ／ｍ（実効値）の磁界を印加されたとき、複数の第１の非接触ＩＣカードはいずれも起動されず、第２の非接触ＩＣカードのみが起動されて通信可能となる。
【手続補正６】
【補正対象書類名】明細書
【補正対象項目名】００１７
【補正方法】変更
【補正の内容】
【００１７】
また、本発明が提供するのは、ＩＣチップおよび非方形のアンテナを内蔵したＩＳＯ／ＩＥＣ１８０９２準拠の非接触ＩＣカードを複数収納することのできる長方形の二つ折り財布である。この二つ折り財布は、相対的に長い一辺に紙幣出し入れ口が設けられており、複数の第１の非接触ＩＣカードを１枚ずつ収納するための、各々方形の導電体を取り付けられた複数の第１収納部と、１枚の第２の非接触ＩＣカードを収納するための、第２の非接触ＩＣカードと同一の大きさを有し厚さ０．１ｍｍ以上で比透磁率２０以上または厚さ０．０５ｍｍ以上で比透磁率４０以上の方形の磁性体を取り付けられた１つの第２収納部とを備える。第１収納部は、相対的に長い一辺を第１の非接触ＩＣカードを出し入れするための第１カード出し入れ口とし、財布を二つ折りしたときの内側面に、各第１カード出し入れ口と紙幣出し入れ口とが同一または直交する向きになるよう段階的にずらして１列に設けられ、第２収納部は、相対的に長い一辺または短い一辺のいずれかを第２の非接触ＩＣカードを出し入れするための第２カード出し入れ口とし、財布を二つ折りしたときの内側面に、第２カード出し入れ口と紙幣出し入れ口とが同一方向になるように、第１収納部とは独立して設けられる。導電体と第２の非接触ＩＣカードとは、互いの表面間が１ｍｍ以上離隔し、導電体が第２の非接触ＩＣカードの一部と重畳するように配置され、第２収納部は、二つ折り時の二つ折り財布の厚さＴが３０ｍｍ以下であるとき、Ｔの値に応じて、第２の非接触ＩＣカードの短手方向の一辺と導電体の対応する一辺との間の距離Ｄ１ｃと、第２の非接触ＩＣカードの長手方向の一辺と導電体の対応する一辺との間の距離Ｄ２ｃと、第２の非接触ＩＣカードの一角と導電体の対応する一角との間の距離Ｄ３ｃとのうちいずれかが表５に示す値以上の値をとるように配置される。強度７．５Ａ／ｍ（実効値）の磁界を印加されたとき、複数の第１の非接触ＩＣカードはいずれも起動されず、第２の非接触ＩＣカードのみが起動されて通信可能となる。
【手続補正７】
【補正対象書類名】明細書
【補正対象項目名】００１９
【補正方法】変更
【補正の内容】
【００１９】
また、本発明がさらに提供するのは、ＩＣチップおよび非方形のアンテナを内蔵したＩＳＯ／ＩＥＣ１８０９２準拠の非接触ＩＣカードを複数収納することのできる長方形の二つ折り財布である。この二つ折り財布は、相対的に長い一辺に紙幣出し入れ口が設けられており、複数の第１の非接触ＩＣカードを１枚ずつ収納するための、各々方形の導電体を取り付けられた複数の第１収納部と、１枚の第２の非接触ＩＣカードを収納するための、第２の非接触ＩＣカードと同一の大きさを有し厚さ０．１ｍｍ以上で比透磁率２０以上または厚さ０．０５ｍｍ以上で比透磁率４０以上の方形の磁性体を取り付けられた１つの第２収納部とを備える。第１収納部は、相対的に長い一辺を第１の非接触ＩＣカードを出し入れするための第１カード出し入れ口とし、財布を二つ折りしたときの内側面に、各第１カード出し入れ口と紙幣出し入れ口とが同一または直交する向きになるよう段階的にずらして１列に設けられ、第２収納部は、相対的に長い一辺または短い一辺のいずれかを第２の非接触ＩＣカードを出し入れするための第２カード出し入れ口とし、財布を二つ折りしたときの内側面に、第２カード出し入れ口と紙幣出し入れ口とが同一方向になるように、第１収納部とは独立して設けられる。導電体と第２の非接触ＩＣカードとは、互いの表面間が１ｍｍ以上離隔し、導電体が第２の非接触ＩＣカードの一部と重畳するように配置され、第２収納部は、二つ折り時の二つ折り財布の厚さＴが３０ｍｍ以下であるとき、Ｔの値に応じて、第２の非接触ＩＣカードの短手方向の一辺と導電体の対応する一辺との間の距離Ｄ１ｄと、第２の非接触ＩＣカードの長手方向の一辺と導電体の対応する一辺との間の距離Ｄ２ｄと、第２の非接触ＩＣカードの一角と導電体の対応する一角との間の距離Ｄ３ｄとのうちいずれかが表６に示す値以上の値をとるように配置される。強度１０Ａ／ｍ（実効値）の磁界を印加されたとき、複数の第１の非接触ＩＣカードはいずれも起動されず、第２の非接触ＩＣカードのみが起動されて通信可能となる。
【手続補正８】
【補正対象書類名】明細書
【補正対象項目名】００２１
【補正方法】変更
【補正の内容】
【００２１】
また、本発明が提供するのは、ＩＣチップおよび非方形のアンテナを内蔵したＩＳＯ／ＩＥＣ１８０９２準拠の非接触ＩＣカードを複数収納することのできる長方形の二つ折り財布である。この二つ折り財布は、相対的に長い一辺に紙幣出し入れ口が設けられており、財布の内側面には、各々相対的に長い一辺を非接触ＩＣカードを出し入れするためのカード出し入れ口とし、各カード出し入れ口と紙幣出し入れ口とが同一の向きなるよう段階的にずらして１列に設けられた、それぞれ１枚の非接触ＩＣカードを収納するための複数の収納部を備える。この複数の収納部のうちいずれか１つの収納部には、非接触ＩＣカードと同一の大きさを有し厚さ０．１ｍｍ以上で比透磁率２０以上または厚さ０．０５ｍｍ以上で比透磁率４０以上の方形の磁性体が取り付けられ、複数の収納部のうち１つまたは２つの収納部には、各々方形の導電体が取り付けられる。導電体と、磁性体が取り付けられた収納部に収納された非接触ＩＣカードとは、互いの表面間が１ｍｍ以上離隔し、導電体が収納された非接触ＩＣカードの一部と重畳し、且つ、二つ折り時の二つ折り財布の厚さＴが３０ｍｍ以下であるとき、Ｔの値に応じて、収納された非接触ＩＣカードの短手方向の一辺と導電体の対応する一辺との間の距離Ｄ１ｃと、収納された非接触ＩＣカードの長手方向の一辺と導電体の対応する一辺との間の距離Ｄ２ｃと、収納された非接触ＩＣカードの一角と導電体の対応する一角との間の距離Ｄ３ｃとのうちいずれかが表７に示す値以上の値をとるように配置される。強度７．５Ａ／ｍ（実効値）の磁界を印加されたとき、磁性体が取り付けられた収納部に収納された１枚の非接触ＩＣカードのみが起動されて通信可能となり、導電体が取り付けられた収納部に収納された非接触ＩＣカードはいずれも起動されない。
【手続補正９】
【補正対象書類名】明細書
【補正対象項目名】００２３
【補正方法】変更
【補正の内容】
【００２３】
また、本発明が提供するのは、ＩＣチップおよび非方形のアンテナを内蔵したＩＳＯ／ＩＥＣ１８０９２準拠の非接触ＩＣカードを複数収納することのできる長方形の二つ折り財布である。この二つ折り財布は、相対的に長い一辺に紙幣出し入れ口が設けられており、財布の内側面には、各々相対的に長い一辺を非接触ＩＣカードを出し入れするためのカード出し入れ口とし、各カード出し入れ口と紙幣出し入れ口とが同一の向きなるよう段階的にずらして１列に設けられた、それぞれ１枚の非接触ＩＣカードを収納するための複数の収納部を備える。この複数の収納部のうちいずれか１つの収納部には、非接触ＩＣカードと同一の大きさを有し厚さ０．１ｍｍ以上で比透磁率２０以上または厚さ０．０５ｍｍ以上で比透磁率４０以上の方形の磁性体が取り付けられ、複数の収納部のうち１つまたは２つの収納部には、各々方形の導電体が取り付けられる。導電体と、磁性体が取り付けられた収納部に収納された非接触ＩＣカードとは、互いの表面間が１ｍｍ以上離隔し、導電体が収納された非接触ＩＣカードの一部と重畳し、且つ、二つ折り時の二つ折り財布の厚さＴが３０ｍｍ以下であるとき、Ｔの値に応じて、収納された非接触ＩＣカードの短手方向の一辺と導電体の対応する一辺との間の距離Ｄ１ｄと、収納された非接触ＩＣカードの長手方向の一辺と導電体の対応する一辺との間の距離Ｄ２ｄと、収納された非接触ＩＣカードの一角と導電体の対応する一角との間の距離Ｄ３ｄとのうちいずれかが表８に示す値以上の値をとるように配置される。強度１０Ａ／ｍ（実効値）の磁界を印加されたとき、磁性体が取り付けられた収納部に収納された１枚の非接触ＩＣカードのみが起動されて通信可能となり、導電体が取り付けられた収納部に収納された非接触ＩＣカードはいずれも起動されない。
【手続補正１０】
【補正対象書類名】明細書
【補正対象項目名】００２６
【補正方法】変更
【補正の内容】
【００２６】
本発明がさらに提供するのは、ＩＣチップおよび非方形のアンテナを内蔵したＩＳＯ／ＩＥＣ１８０９２準拠の非接触ＩＣカードを複数収納することのできる長方形の二つ折りカードケースである。このカードケースは、相対的に長い一辺に紙幣出し入れ口が設けられており、複数の第１の非接触ＩＣカードを１枚ずつ収納するための複数の第１収納部と、１枚の第２の非接触ＩＣカードを収納するための１つの第２収納部と、複数の第１収納部の各々に取り付けられた導電体とを備える。第１収納部は、相対的に長い一辺を第１の非接触ＩＣカードを出し入れするための第１カード出し入れ口とし、カードケースを二つ折りしたときの内側面に、各第１カード出し入れ口と紙幣出し入れ口とが同一または直交する向きになるよう段階的にずらして１列に設けられ、第２収納部は、相対的に長い一辺または短い一辺のいずれかを第２の非接触ＩＣカードを出し入れするための第２カード出し入れ口とし、カードケースを二つ折りしたときの内側面に、第２カード出し入れ口と紙幣出し入れ口とが同一方向になるように、第１収納部とは独立して設けられる。導電体と第２の非接触ＩＣカードとは、互いの表面間が１ｍｍ以上離隔し、導電体が第２の非接触ＩＣカードの一部と重畳するように配置され、第２収納部は、二つ折り時の二つ折りカードケースの厚さＴが３０ｍｍ以下であるとき、Ｔの値に応じて、第２の非接触ＩＣカードの短手方向の一辺と導電体の対応する一辺との間の距離Ｄ１ａと、第２の非接触ＩＣカードの長手方向の一辺と導電体の対応する一辺との間の距離Ｄ２ａと、第２の非接触ＩＣカードの一角と導電体の対応する一角との間の距離Ｄ３ａとのうちいずれかが表９に示す値以上の値をとるように配置される。強度７．５Ａ／ｍ（実効値）の磁界を印加されたとき、複数の第１の非接触ＩＣカードはいずれも起動されず、第２の非接触ＩＣカードのみが起動されて通信可能となる。
【手続補正１１】
【補正対象書類名】明細書
【補正対象項目名】００２８
【補正方法】変更
【補正の内容】
【００２８】
また、本発明が提供するのは、ＩＣチップおよび非方形のアンテナを内蔵したＩＳＯ／ＩＥＣ１８０９２準拠の非接触ＩＣカードを複数収納することのできる長方形の二つ折りカードケースである。この二つ折りカードケースは、相対的に長い一辺に紙幣出し入れ口が設けられており、複数の第１の非接触ＩＣカードを１枚ずつ収納するための複数の第１収納部と、１枚の第２の非接触ＩＣカードを収納するための１つの第２収納部と、複数の第１収納部の各々に取り付けられた導電体とを備える。第１収納部は、相対的に長い一辺を第１の非接触ＩＣカードを出し入れするための第１カード出し入れ口とし、カードケースを二つ折りしたときの内側面に、各第１カード出し入れ口と紙幣出し入れ口とが同一または直交する向きになるよう段階的にずらして１列に設けられ、第２収納部は、相対的に長い一辺または短い一辺のいずれかを第２の非接触ＩＣカードを出し入れするための第２カード出し入れ口とし、カードケースを二つ折りしたときの内側面に、第２カード出し入れ口と紙幣出し入れ口とが同一方向になるように、第１収納部とは独立して設けられる。導電体と第２の非接触ＩＣカードとは、互いの表面間が１ｍｍ以上離隔し、導電体が第２の非接触ＩＣカードの一部と重畳するように配置され、第２収納部は、二つ折り時の二つ折りカードケースの厚さＴが３０ｍｍ以下であるとき、Ｔの値に応じて、第２の非接触ＩＣカードの短手方向の一辺と導電体の対応する一辺との間の距離Ｄ１ｂと、第２の非接触ＩＣカードの長手方向の一辺と前記導電体の対応する一辺との間の距離Ｄ２ｂと、第２の非接触ＩＣカードの一角と導電体の対応する一角との間の距離Ｄ３ｂとのうちいずれかが表１０に示す値以上の値をとるように配置される。強度１０Ａ／ｍ（実効値）の磁界を印加されたとき、複数の第１の非接触ＩＣカードはいずれも起動されず、第２の非接触ＩＣカードのみが起動されて通信可能となる。
【手続補正１２】
【補正対象書類名】明細書
【補正対象項目名】００３０
【補正方法】変更
【補正の内容】
【００３０】
また、本発明が提供するのは、ＩＣチップおよび非方形のアンテナを内蔵したＩＳＯ／ＩＥＣ１８０９２準拠の非接触ＩＣカードを複数収納することのできる長方形の二つ折りカードケースであって、相対的に長い一辺に紙幣出し入れ口が設けられており、複数の第１の非接触ＩＣカードを１枚ずつ収納するための、各々方形の導電体を取り付けられた複数の第１収納部と、１枚の第２の非接触ＩＣカードを収納するための、第２の非接触ＩＣカードと同一の大きさを有し厚さ０．１ｍｍ以上で比透磁率２０以上または厚さ０．０５ｍｍ以上で比透磁率４０以上の方形の磁性体を取り付けられた１つの第２収納部とを備える。第１収納部は、相対的に長い一辺を第１の非接触ＩＣカードを出し入れするための第１カード出し入れ口とし、カードケースを二つ折りしたときの内側面に、各第１カード出し入れ口と紙幣出し入れ口とが同一または直交する向きになるよう段階的にずらして１列に設けられ、第２収納部は、相対的に長い一辺または短い一辺のいずれかを第２の非接触ＩＣカードを出し入れするための第２カード出し入れ口とし、カードケースを二つ折りしたときの内側面に、第２カード出し入れ口と紙幣出し入れ口とが同一方向になるように、第１収納部とは独立して設けられる。導電体と第２の非接触ＩＣカードとは、互いの表面間が１ｍｍ以上離隔し、導電体が第２の非接触ＩＣカードの一部と重畳するように配置され、第２収納部は、二つ折り時の二つ折りカードケースの厚さＴが３０ｍｍ以下であるとき、Ｔの値に応じて、第２の非接触ＩＣカードの短手方向の一辺と導電体の対応する一辺との間の距離Ｄ１ｃと、第２の非接触ＩＣカードの長手方向の一辺と導電体の対応する一辺との間の距離Ｄ２ｃと、第２の非接触ＩＣカードの一角と導電体の対応する一角との間の距離Ｄ３ｃとのうちいずれかが表１１に示す値以上の値をとるように配置される。強度７．５Ａ／ｍ（実効値）の磁界を印加されたとき、複数の第１の非接触ＩＣカードはいずれも起動されず、第２の非接触ＩＣカードのみが起動されて通信可能となる。
【手続補正１３】
【補正対象書類名】明細書
【補正対象項目名】００３２
【補正方法】変更
【補正の内容】
【００３２】
また、本発明がさらに提供するのは、ＩＣチップおよび非方形のアンテナを内蔵したＩＳＯ／ＩＥＣ１８０９２準拠の非接触ＩＣカードを複数収納することのできる長方形の二つ折りカードケースである。この二つ折りカードケースは、相対的に長い一辺に紙幣出し入れ口が設けられており、複数の第１の非接触ＩＣカードを１枚ずつ収納するための、各々方形の導電体を取り付けられた複数の第１収納部と、１枚の第２の非接触ＩＣカードを収納するための、第２の非接触ＩＣカードと同一の大きさを有し厚さ０．１ｍｍ以上で比透磁率２０以上または厚さ０．０５ｍｍ以上で比透磁率４０以上の方形の磁性体を取り付けられた１つの第２収納部とを備える。第１収納部は、相対的に長い一辺を第１の非接触ＩＣカードを出し入れするための第１カード出し入れ口とし、カードケースを二つ折りしたときの内側面に、各第１カード出し入れ口と紙幣出し入れ口とが同一または直交する向きになるよう段階的にずらして１列に設けられ、第２収納部は、相対的に長い一辺または短い一辺のいずれかを第２の非接触ＩＣカードを出し入れするための第２カード出し入れ口とし、カードケースを二つ折りしたときの内側面に、第２カード出し入れ口と紙幣出し入れ口とが同一方向になるように、第１収納部とは独立して設けられる。導電体と第２の非接触ＩＣカードとは、互いの表面間が１ｍｍ以上離隔し、導電体が第２の非接触ＩＣカードの一部と重畳するように配置され、第２収納部は、二つ折り時の前記二つ折りカードケースの厚さＴが３０ｍｍ以下であるとき、Ｔの値に応じて、第２の非接触ＩＣカードの短手方向の一辺と導電体の対応する一辺との間の距離Ｄ１ｄと、第２の非接触ＩＣカードの長手方向の一辺と導電体の対応する一辺との間の距離Ｄ２ｄと、第２の非接触ＩＣカードの一角と導電体の対応する一角との間の距離Ｄ３ｄとのうちいずれかが表１２に示す値以上の値をとるように配置される。強度１０Ａ／ｍ（実効値）の磁界を印加されたとき、複数の第１の非接触ＩＣカードはいずれも起動されず、第２の非接触ＩＣカードのみが起動されて通信可能となる。
【手続補正１４】
【補正対象書類名】明細書
【補正対象項目名】００３４
【補正方法】変更
【補正の内容】
【００３４】
また、本発明が提供するのは、ＩＣチップおよび非方形のアンテナを内蔵したＩＳＯ／ＩＥＣ１８０９２準拠の非接触ＩＣカードを複数収納することのできる長方形の二つ折りカードケースである。この二つ折りカードケースは、相対的に長い一辺に紙幣出し入れ口が設けられており、カードケースの内側面には、各々相対的に長い一辺を非接触ＩＣカードを出し入れするためのカード出し入れ口とし、各カード出し入れ口と紙幣出し入れ口とが同一の向きなるよう段階的にずらして１列に設けられた、それぞれ１枚の非接触ＩＣカードを収納するための複数の収納部を備える。この複数の収納部のうちいずれか１つの収納部には、非接触ＩＣカードと同一の大きさを有し厚さ０．１ｍｍ以上で比透磁率２０以上または厚さ０．０５ｍｍ以上で比透磁率４０以上の方形の磁性体が取り付けられ、複数の収納部のうち１つまたは２つの収納部には、各々方形の導電体が取り付けられる。導電体と、磁性体が取り付けられた収納部に収納された非接触ＩＣカードとは、互いの表面間が１ｍｍ以上離隔し、導電体が収納された非接触ＩＣカードの一部と重畳し、且つ、二つ折り時の二つ折りカードケースの厚さＴが３０ｍｍ以下であるとき、Ｔの値に応じて、収納された非接触ＩＣカードの短手方向の一辺と導電体の対応する一辺との間の距離Ｄ１ｃと、収納された非接触ＩＣカードの長手方向の一辺と導電体の対応する一辺との間の距離Ｄ２ｃと、収納された非接触ＩＣカードの一角と導電体の対応する一角との間の距離Ｄ３ｃとのうちいずれかが表１３に示す値以上の値をとるように配置される。強度７．５Ａ／ｍ（実効値）の磁界を印加されたとき、磁性体が取り付けられた収納部に収納された非接触ＩＣカードのみが起動されて通信可能となり、導電体が取り付けられた収納部に収納された非接触ＩＣカードはいずれも起動されない。
【手続補正１５】
【補正対象書類名】明細書
【補正対象項目名】００３６
【補正方法】変更
【補正の内容】
【００３６】
また、本発明が提供するのは、ＩＣチップおよび非方形のアンテナを内蔵したＩＳＯ／ＩＥＣ１８０９２準拠の非接触ＩＣカードを複数収納することのできる長方形の二つ折りカードケースである。この二つ折りカードケースは、相対的に長い一辺に紙幣出し入れ口が設けられており、カードケースの内側面には、各々相対的に長い一辺を非接触ＩＣカードを出し入れするためのカード出し入れ口とし、各カード出し入れ口と紙幣出し入れ口とが同一の向きなるよう段階的にずらして１列に設けられた、それぞれ１枚の非接触ＩＣカードを収納するための複数の収納部を備える。この複数の収納部のうちいずれか１つの収納部には、非接触ＩＣカードと同一の大きさを有し厚さ０．１ｍｍ以上で比透磁率２０以上または厚さ０．０５ｍｍ以上で比透磁率４０以上の方形の磁性体が取り付けられ、複数の収納部のうち１つまたは２つの収納部には、各々方形の導電体が取り付けられる。導電体と、磁性体が取り付けられた収納部に収納された非接触ＩＣカードとは、互いの表面間が１ｍｍ以上離隔し、導電体が収納された非接触ＩＣカードの一部と重畳し、且つ、二つ折り時の二つ折りカードケースの厚さＴが３０ｍｍ以下であるとき、Ｔの値に応じて、収納された非接触ＩＣカードの短手方向の一辺と導電体の対応する一辺との間の距離Ｄ１ｄと、収納された非接触ＩＣカードの長手方向の一辺と導電体の対応する一辺との間の距離Ｄ２ｄと、収納された非接触ＩＣカードの一角と導電体の対応する一角との間の距離Ｄ３ｄとのうちいずれかが表１４に示す値以上の値をとるように配置される。強度１０Ａ／ｍ（実効値）の磁界を印加されたとき、磁性体が取り付けられた収納部に収納された非接触ＩＣカードのみが起動されて通信可能となり、導電体が取り付けられた収納部に収納された非接触ＩＣカードはいずれも起動されない。
【手続補正１６】
【補正対象書類名】明細書
【補正対象項目名】００３９
【補正方法】変更
【補正の内容】
【００３９】
また、本発明が提供するのは、ＩＣチップおよび非方形のアンテナを内蔵したＩＳＯ／ＩＥＣ１８０９２準拠の非接触ＩＣカードを複数収納することのできる長財布である。この長財布は、略正方形の収納体を中心線に沿って谷折りしてなり、中心線に平行に、中心線に向かって開口するよう設けられた紙幣出し入れ口と、複数の第１の非接触ＩＣカードを１枚ずつ収納するための、各々方形の導電体を取り付けられた複数の第１収納部と、１枚の第２の非接触ＩＣカードを収納するための１つの第２収納部とを備える。第１収納部は、相対的に長い一辺を第１の非接触ＩＣカードを出し入れするための第１カード出し入れ口とし、長財布の内側面に、各第１カード出し入れ口と紙幣出し入れ口とが同一の向きになるよう、２列にわたって段階的にずらして設けられ、第２収納部は、相対的に長い一辺または短い一辺のいずれかを第２の非接触ＩＣカードを出し入れするための第２カード出し入れ口とし、長財布の内側面の中央に、中心線を避けて、第２カード出し入れ口と紙幣出し入れ口とが同一方向になるように、第１収納部とは独立して設けられる。第１収納部に取り付けられた導電体は、第１収納部の各列の間で、第２収納部が相対的に長い一辺を第２カード出し入れ口とする場合には２ｍｍ以上離隔し、相対的に短い一辺を第２カード出し入れ口とする場合には６．５ｍｍ以上離隔するよう配置され、強度７．５乃至１０Ａ／ｍ（実効値）の磁界を印加されたとき、複数の第１の非接触ＩＣカードはいずれも起動されず、第２の非接触ＩＣカードのみが起動されて通信可能となる。